(57)【要約】【課題】照明範囲を広げること、利便性に優れること、および拡張性にすぐれることのうち少なくとも１つを達成可能な照明ユニットを提供する。【解決手段】照明ユニット１Ａを構成する第１照明装置１０Ａ１と第２照明装置１０Ａ２は、光を出射する光源３４Ａと、導光板７０Ａから出射された光を外部に出射する光出射面部８１Ａを備える拡散板８０Ａと、基盤部２１Ａを備える本体フレーム２０Ａと、第１照明装置１０Ａ１と第２照明装置１０Ａ２とが互いに固着された状態を保持可能な保持手段４０Ａとを備え、保持手段４０Ａを介して、第１照明装置１０Ａ１の基盤部２１Ａと、第２照明装置１０Ａ２の基盤部２１Ａとが対向状態で保持される第１保持状態を実現可能であり、第１保持状態では、互いに外表面に位置する第１照明装置１０Ａ１の光出射面部８１Ａと、第２照明装置１０Ａ２の光出射面部８１Ａとから光を外部に出射可能である。【選択図】図８
2019102278.tif 000002
【特許請求の範囲】
【請求項１】
少なくとも第１照明装置と第２照明装置を備える照明ユニットであって、
前記第１照明装置および第２照明装置は、
光を出射する光源と、
前記光源から出射された光を拡散した状態で外部に出射する光出射面部を備える拡散板と、
前記光源および前記拡散板が取り付けられ、前記光出射面部の光出射方向と反対の側に基盤部を有する本体フレームと、
前記第１照明装置の前記基盤部と前記第２照明装置の前記基盤部とが互いに対向した状態である対向状態を保持する保持手段と、
を備えることを特徴とする照明ユニット。
【請求項２】
請求項１記載の照明ユニットであって、
前記保持手段は、少なくとも１つの磁石を備える、
ことを特徴とする照明ユニット。
【請求項３】
請求項１または２記載の照明ユニットであって、
前記保持手段は、
前記第１照明装置と前記第２照明装置とを回動可能に連結すると共に、前記対向状態である閉じ状態を保持すると共にこれらが対向しない状態である開き状態を保持するヒンジ機構を備える、
ことを特徴とする照明ユニット。
【請求項４】
請求項１から３のいずれか１項に記載の照明ユニットであって、
前記光出射面部は、光出射主面部と光出射側面部とを備え、
前記光出射主面部は、前記基盤部と対向配置されると共に、
前記光出射側面部は、前記光出射主面部よりも前記基盤部側に突出する状態に設けられている、
ことを特徴とする照明ユニット。
【請求項５】
請求項１から４のいずれか１項に記載の照明ユニットであって、
前記本体フレームは、前記基盤部の周縁側から前記拡散板側に立ち上がるフレーム側面部を備え、
前記対向状態においては、前記第１照明装置の前記フレーム側面部と前記第２照明装置の前記フレーム側面部とが並列され、その並列によってこれらの前記フレーム側面部に跨る起立平面が設けられる、
ことを特徴とする照明ユニット。
【請求項６】
請求項１から５のいずれか１項に記載の照明ユニットであって、
前記照明ユニットには、外部のアタッチメントに取り付けるためのアタッチメント取付部が設けられている、
ことを特徴とする照明ユニット。
【請求項７】
請求項６に記載の照明ユニットであって、
前記アタッチメント取付部は、前記対向状態において前記フレーム側面部に開口を有する穴部であり、
前記穴部は、それぞれの前記基盤部が前記対向状態において互いに対向する側の対向面から窪むと共に前記基盤部の外周に面して窪む係合凹部が前記対向状態となることで形成されている、
ことを特徴とする照明ユニット。
【請求項８】
請求項７記載の照明ユニットであって、
前記アタッチメントを有し、
前記アタッチメントには、前記穴部に挿入されると共に該穴部への挿入によって前記照明ユニットに取り付けられる照明ユニット取付部が設けられている、
ことを特徴とする照明ユニット。
【請求項９】
請求項７記載の照明ユニットであって、
前記係合凹部には、凹みの深さが異なる段差部分が存在し、
前記穴部には前記アタッチメントに設けられる照明ユニット取付部が挿入されると共に、この照明ユニット取付部には段差状の返し部が設けられていて、
前記段差状の返し部が前記段差部分に係合することで、前記アタッチメントの抜け止めとして機能する、
ことを特徴とする照明ユニット。
【請求項１０】
請求項９記載の照明ユニットであって、
前記アタッチメントを有し、
前記アタッチメントの前記照明ユニット取付部には、前記段差部分に係合する返し部が設けられていて、
前記返し部が前記段差部分に係合している、
ことを特徴とする照明ユニット。
【請求項１１】
請求項６から１０のいずれか１項に記載の照明ユニットであって、
前記アタッチメントは、首部を有する容器に取り付けられると共に、
前記アタッチメントには、前記首部に存在する雄ネジ部に捻じ込まれる蓋本体を備える、
ことを特徴とする照明ユニット。
【請求項１２】
請求項６から１０のいずれか１項に記載の照明ユニットであって、
前記アタッチメントは、首部を有する容器に取り付けられると共に、
前記アタッチメントには、前記首部に存在する口部を塞ぐキャップに取り付けられるカバー本体を備える、
ことを特徴とする照明ユニット。
【請求項１３】
請求項２記載の照明ユニットであって、
プレート部を有すると共に軟磁性材を材質とする板状アタッチメントを備え、
前記第１照明装置と前記第２照明装置とは、前記板状アタッチメントに対して、前記磁石を介して取り付けられている、
ことを特徴とする照明ユニット。
【請求項１４】
請求項１から１３のいずれか１項に記載の照明ユニットであって、
前記第１照明装置および前記第２照明装置の少なくとも一方の前記本体フレームの前記基盤部には、前記対向状態において互いに対向する側の対向面にボスが設けられていて、
前記ボスは、前記板状アタッチメントに設けられるボス孔に嵌合可能である、
ことを特徴とする照明ユニット。
【請求項１５】
請求項１４記載の照明ユニットであって、
前記対向状態において、前記第１照明装置と前記第２照明装置とは、板状アタッチメントに対して取り付けられていて、
前記板状アタッチメントには、板状のプレート部と、該プレート部から立設されていると共に前記ボス孔が形成されている立ち上がり部とが設けられていて、
前記ボスは前記ボス孔に嵌まり込んでいる、
ことを特徴とする照明ユニット。
【請求項１６】
請求項３記載の照明ユニットであって、
前記ヒンジ機構には、軸支部を有する吊下ブラケットが取り付けられていて、
前記吊下ブラケットには、他の部材に吊り下げることが可能な少なくとも１つのハンド部が設けられている、
ことを特徴とする照明ユニット。
【請求項１７】
光を出射する光源と、
前記光源から出射された光を拡散した状態で外部に出射する光出射面部を備える拡散板と、
前記光源および前記拡散板が取り付けられ、前記光出射面部の光出射方向と反対の側に基盤部を有する本体フレームと、
前記本体フレームに収納されると共に、磁力吸引可能な磁石と、
プレート部を有すると共に軟磁性材を材質とし、前記磁石によって磁力吸引されている板状アタッチメントと、
を備えることを特徴とする照明装置。
【請求項１８】
少なくとも第１照明装置と第２照明装置から構成される照明ユニットを首部を有する容器に取り付けるためのアタッチメントであって、
前記首部の雄ネジ部に捻じ込まれる蓋本体と、
前記蓋本体を前記照明ユニットに取り付けるための照明ユニット取付部と、
を備えることを特徴とするアタッチメント。
【請求項１９】
請求項１８記載のアタッチメントであって、
前記照明ユニット取付部は、前記蓋本体から突出して設けられ、
前記照明ユニット取付部は、前記照明ユニットに設けられる穴部に挿入される、
ことを特徴とするアタッチメント。
【請求項２０】
少なくとも第１照明装置と第２照明装置から構成される照明ユニットを首部を有する容器に取り付けるためのアタッチメントであって、
前記容器に取り付けられるキャップに取り付けられるカバー本体と、
前記カバー本体を前記照明ユニットに取り付けるための照明ユニット取付部と、
を備えることを特徴とするアタッチメント。
【請求項２１】
請求項２０記載のアタッチメントであって、
前記照明ユニット取付部は、前記カバー本体から突出して設けられ、
前記照明ユニット取付部は、前記照明ユニットに設けられる穴部に挿入される、
ことを特徴とするアタッチメント。
【請求項２２】
請求項１８から２１のいずれか１項に記載のアタッチメントと、
前記アタッチメントが取り付けられる首部を有する容器と、
前記アタッチメントの前記照明ユニット取付部が取り付けられるアタッチメント取付部を備える前記照明ユニットと、
を備えることを特徴とするスタンド型照明装置。
【発明の詳細な説明】
【技術分野】
【０００１】
本発明は、照明ユニット、照明装置、アタッチメントおよびスタンド型照明に関する。
【背景技術】
【０００２】
たとえばキャンプ等のように、屋外における活動の際には、夜間照明用としてランタンが広く用いられている。ランタンには、電池式、ガス式、ガソリン式、キャンドル式など種々のタイプが存在している。これらのランタンは、下方に電池やガス、ガソリン等のエネルギ供給部位を備えると共に、上方に天板を備えている。そして、エネルギ供給部位と天板で挟まれた部位に、発光部位を備えるのが一般的な構成となっている。
【０００３】
また、近年、ＬＥＤを用いた照明装置が広く用いられている。かかるＬＥＤを用いた照明装置の中には、特許文献１に示すように、リチウム二次電池を搭載した携帯用の照明装置も存在している。
【先行技術文献】
【特許文献】
【０００４】
【特許文献１】特開２０１７−７９１３４号公報
【発明の概要】
【発明が解決しようとする課題】
【０００５】
ところで、上述したランタンは、吊るすか、置くか、または直接持ち歩く態様にて使用されているが、それぞれに問題がある。具体的には、ランタンは、比較的大きく重いため、持ち運びし難いという問題がある。また、ランタンを、たとえばアウトドア用のテーブルで食事をする際に、テーブル上に置く場合がある。しかしながら、比較的狭いテーブル上に人数分の皿や飲料等が載置された状態で、比較的広い設置面積を要するランタンを置くと食事の際に邪魔になる、という問題もある。すなわち、現状のランタンは、利便性に劣るものとなっている。
【０００６】
さらに、上述のランタンを、たとえばテント等の内部で吊り下げる場合、下方にエネルギ供給部位が存在するので、ランタンの直下を発光部位で直接照らすことが困難となっている。したがって、ランタンの直下が暗い、という問題もある。さらに、ランタンの上方には天板があるので、発光部位で上側を直接照らすことができない、という問題もある。
【０００７】
また、特許文献１に開示の照明装置においては、その外周面側および底面側がアルミニウム等の金属で形成された外装筐体３や、シリコンゴム等で形成されたシール用リング部材５で覆われている。したがって、照明光は、光拡散板２の頂面７側から主として出射され、外周面側および底面側からは出射されない状態となっている。また、特許文献１に開示の照明装置を使用する前提として、それ自身を単独で用いるものであるので、拡張性に欠けるという問題もある。
【０００８】
本発明は上記の事情にもとづきなされたもので、照明範囲を広げること、利便性に優れること、および拡張性にすぐれることのうち少なくとも１つを達成可能な照明ユニット、照明装置およびスタンド型照明を提供することを目的とする。また、上記の照明ユニット、照明装置およびスタンド型照明に供することが可能なアタッチメントを提供することを目的とする。
【課題を解決するための手段】
【０００９】
上記課題を解決するために、本発明の第１の観点によると、
少なくとも第１照明装置と第２照明装置を備える照明ユニットであって、第１照明装置および第２照明装置は、光を出射する光源と、光源から出射された光を拡散した状態で外部に出射する光出射面部を備える拡散板と、光源および拡散板が取り付けられ、光出射面部の光出射方向と反対の側に基盤部を有する本体フレームと、第１照明装置の基盤部と第２照明装置の基盤部とが互いに対向した状態である対向状態を保持する保持手段と、を備えることを特徴とする照明ユニットが提供される。
【００１０】
また、本発明の他の側面は、上述の発明において、
保持手段は、少なくとも１つの磁石を備える、ことが好ましい。
【００１１】
また、本発明の他の側面は、上述の発明において、保持手段は、第１照明装置と第２照明装置とを回動可能に連結すると共に、対向状態である閉じ状態を保持すると共にこれらが対向しない状態である開き状態を保持するヒンジ機構を備える、ことが好ましい。
【００１２】
また、本発明の他の側面は、上述の発明において、光出射面部は、光出射主面部と光出射側面部とを備え、これら光出射主面部と光出射側面部は一体的に設けられていて、光出射主面部は、基盤部と対向配置されると共に、光出射側面部は、光出射主面部よりも基盤部側に突出する状態に設けられている、ことが好ましい。
【００１３】
また、本発明の他の側面は、上述の発明において、本体フレームは、基盤部の周縁側から拡散板側に立ち上がるフレーム側面部を備え、対向状態においては、第１照明装置のフレーム側面部と第２照明装置のフレーム側面部とが並列され、その並列によってこれらのフレーム側面部に跨る起立平面が設けられる、ことが好ましい。
【００１４】
また、本発明の他の側面は、上述の発明において、照明ユニットには、外部のアタッチメントに取り付けるためのアタッチメント取付部が設けられている、ことが好ましい。
【００１５】
また、本発明の他の側面は、上述の発明において、アタッチメント取付部は、対向状態においてフレーム側面部に開口を有する穴部であり、穴部は、それぞれの基盤部が対向状態において互いに対向する側の対向面から窪むと共に基盤部の外周に面して窪む係合凹部が対向状態となることで形成されている、ことが好ましい。
【００１６】
また、本発明の他の側面は、上述の発明において、アタッチメントを有し、アタッチメントには、穴部に挿入されると共に該穴部への挿入によって照明ユニットに取り付けられる照明ユニット取付部が設けられている、ことが好ましい。
【００１７】
また、本発明の他の側面は、上述の発明において、係合凹部には、凹みの深さが異なる段差部分が存在し、穴部にはアタッチメントに設けられる照明ユニット取付部が挿入されると共に、この照明ユニット取付部には段差状の返し部が設けられていて、段差状の返し部が段差部分に係合することで、アタッチメントの抜け止めとして機能する、ことが好ましい。
【００１８】
また、本発明の他の側面は、上述の発明において、アタッチメントを有し、アタッチメントの照明ユニット取付部には、段差部分に係合する返し部が設けられていて、返し部が段差部分に係合している、ことが好ましい。
【００１９】
また、本発明の他の側面は、上述の発明において、アタッチメントは、首部を有する容器に取り付けられると共に、アタッチメントには、首部に存在する雄ネジ部に捻じ込まれる蓋本体を備える、ことが好ましい。
【００２０】
また、本発明の他の側面は、上述の発明において、アタッチメントは、首部を有する容器に取り付けられると共に、アタッチメントには、首部に存在する口部を塞ぐキャップに取り付けられるカバー本体を備える、ことが好ましい。
【００２１】
また、本発明の他の側面は、上述の発明において、プレート部を有すると共に軟磁性材を材質とする板状アタッチメントを備え、第１照明装置と第２照明装置とは、板状アタッチメントに対して、磁石を介して取り付けられている、ことが好ましい。
【００２２】
また、本発明の他の側面は、上述の発明において、第１照明装置および第２照明装置の少なくとも一方の本体フレームの基盤部には、対向状態において互いに対向する側の対向面にボスが設けられていて、ボスは、板状アタッチメントに設けられるボス孔に嵌合可能である、ことが好ましい。
【００２３】
また、本発明の他の側面は、上述の発明において、対向状態において、第１照明装置と第２照明装置とは、板状アタッチメントに対して取り付けられていて、板状アタッチメントには、板状のプレート部と、該プレート部から立設されていると共にボス孔が形成されている立ち上がり部とが設けられていて、ボスは前記ボス孔に嵌まり込んでいる、ことが好ましい。
【００２４】
また、本発明の他の側面は、上述の発明において、ヒンジ機構には、軸支部を有する吊下ブラケットが取り付けられていて、吊下ブラケットには、他の部材に吊り下げることが可能な少なくとも１つのハンド部が設けられている、ことが好ましい。
【００２５】
また、上記課題を解決するために、本発明の第２の観点によると、光を出射する光源と、光源から出射された光を拡散した状態で外部に出射する光出射面部を備える拡散板と、光源および拡散板が取り付けられ、光出射面部の光出射方向と反対の側に基盤部を有する本体フレームと、本体フレームに収納されると共に、磁力吸引可能な磁石と、プレート部を有すると共に軟磁性材を材質とし、磁石によって磁力吸引されている板状アタッチメントと、を備えることを特徴とする照明装置が提供される。
【００２６】
また、上記課題を解決するために、本発明の第３の観点によると、少なくとも第１照明装置と第２照明装置から構成される照明ユニットを首部を有する容器に取り付けるためのアタッチメントであって、首部の雄ネジ部に捻じ込まれる蓋本体と、蓋本体を照明ユニットに取り付けるための照明ユニット取付部と、を備えることを特徴とするアタッチメントが提供される。
【００２７】
また、本発明の他の側面は、上述の発明において、照明ユニット取付部は、蓋本体から突出して設けられ、照明ユニット取付部は、照明ユニットに設けられる穴部に挿入される、ことが好ましい。
【００２８】
また、上記課題を解決するために、本発明の第４の観点によると、少なくとも第１照明装置と第２照明装置から構成される照明ユニットを首部を有する容器に取り付けるためのアタッチメントであって、容器に取り付けられるキャップに取り付けられるカバー本体と、カバー本体を照明ユニットに取り付けるための照明ユニット取付部と、を備えることを特徴とするアタッチメントが提供される。
【００２９】
また、本発明の他の側面は、上述の発明において、照明ユニット取付部は、カバー本体から突出して設けられ、照明ユニット取付部は、照明ユニットに設けられる穴部に挿入される、ことが好ましい。
【００３０】
また、本発明の他の側面は、上述の発明に係るアタッチメントと、アタッチメントが取り付けられる首部を有する容器と、アタッチメントの照明ユニット取付部が取り付けられるアタッチメント取付部を備える照明ユニットと、を備えることを特徴とするスタンド型照明装置が提供される。
【発明の効果】
【００３１】
本発明によると、照明範囲を広げること、利便性に優れること、および拡張性にすぐれることのうち少なくとも１つを達成可能な照明ユニット、照明装置、およびスタンド型照明を提供することができる。また、上記の照明ユニット、照明装置、およびスタンド型照明に供することが可能なアタッチメントを提供することができる。
【図面の簡単な説明】
【００３２】
【図１】本発明の第１構成例に係る照明装置の構成を示す斜視図である。
【図２】図１に示す照明装置の構成を示す分解斜視図であり、上方側から見た状態を示す図である。
【図３】図１に示す照明装置の構成を示す分解斜視図であり、下方側から見た状態を示す図である。
【図４】図１に示す照明装置の本体フレームの係合凹部付近を拡大して示す斜視図である。
【図５】本発明の第２構成例に係る照明装置を示す斜視図である。
【図６】図５に示す照明装置の構成を示す分解斜視図であり、上側から見た状態を示す図である。
【図７】図５に示す照明装置を下側から見た状態を示す分解斜視図である。
【図８】図１に示すような第１構成例に係る照明装置を２つ組み合わせた照明ユニットの構成を示す図である。
【図９】図１に示すような第１構成例に係る照明装置を２つ組み合わせた照明ユニットが蓋型アタッチメントに取り付けられた状態を示す図である。
【図１０】図９に示す蓋型アタッチメントの構成を示す斜視図である。
【図１１】照明ユニットおよび蓋型アタッチメントの図９に示す取付状態における断面図である。
【図１２】図１０に示す蓋型アタッチメントを介して、ペットボトルに照明ユニットが取り付けられた状態のスタンド型照明を示す斜視図である。
【図１３】カバー型アタッチメントの構成を示す斜視図である。
【図１４】カバー型アタッチメントの別の構成例を示す斜視図である。
【図１５】図８に示す照明ユニットおよび図１３に示すカバー型アタッチメントの取付状態における断面図である。
【図１６】図１３に示すカバー型アタッチメントを介して、ペットボトルのキャップに照明ユニットが取り付けられた状態のスタンド型照明を示す斜視図である。
【図１７】本発明の第２構成例に係る２つの照明装置が対向して密着させると共に、その状態で吊下ブラケットを取り付けた状態を示す斜視図である。
【図１８】図１７に示す吊下ブラケットの構成を示す斜視図である。
【図１９】図１７に示す照明ユニットにおいて、第２ハンド部のリング孔に支持部材としての紐を挿通させた状態を示す斜視図である。
【図２０】本発明の第２構成例に係る２つの照明装置を開いた状態とすると共に、吊下ブラケットを保持した状態を示す斜視図である。
【図２１】本発明の第１構成例に係る照明装置が対向して密着させると共に、その状態で板状アタッチメントを保持した状態を示す斜視図である。
【図２２】図２０に示す板状アタッチメントの構成を示す斜視図である。
【図２３】図２２に示す板状アタッチメントのボス孔にボスが入り込む様子を示す斜視図である。
【図２４】第１構成例に係る１つの照明装置が板状アタッチメントに磁力吸引された状態を示す斜視図である。
【図２５】第１構成例に係る２つの照明装置が板状アタッチメントに磁力吸引された状態を示す斜視図である。
【発明を実施するための形態】
【００３３】
以下、本発明の一実施の形態に係る照明ユニット１Ａ，１Ｂ、照明装置１０Ａ，１０Ｂ、フック部材（蓋型アタッチメント１００Ａ、カバー型アタッチメント１１０Ａ）およびスタンド型照明２Ａについて、図面に基づいて説明する。
【００３４】
＜照明装置１０の第１構成例について＞
以下、本発明の第１構成例に係る照明装置１０Ａの構成について、以下に説明する。なお、以下の説明では、第１構成例に係る照明装置１０Ａについては、アルファベット「Ａ」を付して表記するものとする。図１は、本発明の第１構成例に係る照明装置１０Ａの構成を示す斜視図である。図２は、図１に示す照明装置１０Ａの構成を示す分解斜視図であり、上方側から見た状態を示す図である。図３は、図１に示す照明装置１０Ａの構成を示す分解斜視図であり、下方側から見た状態を示す図である。
【００３５】
第１構成例に係る照明装置１０Ａは、本体フレーム２０Ａと、基板ユニット３０Ａと、磁石４０Ａ（固定手段）と、電源ユニット５０Ａと、反射シート６０Ａと、導光板７０Ａと、拡散板８０Ａを主要な構成としている。なお、照明装置１０Ａは第１照明装置および第２照明装置に対応する。
【００３６】
これらのうち、本体フレーム２０Ａは、照明装置１０Ａの構成の全体を支持する部分である。本体フレーム２０Ａは、基盤部２１Ａと、４つのフレーム側面部２２Ａを備えている。基盤部２１Ａは、平面状に設けられていて、この基盤部２１Ａによって照明装置１０Ａの構成部位が支持されている。また、フレーム側面部２２Ａは、基盤部２１Ａに対して略直交する方向に立設している部分であり、後述する拡散板８０Ａの光出射側面部８２Ａと嵌合やビス止め等その他の手法によって固定される部分となっている。なお、フレーム側面部２２Ａは平面状に設けられている。また、４つのフレーム側面部２２Ａのいずれかには、ＵＳＢ（Universal Serial Bus）コネクタ３２Ａといった外部接続用のコネクタやスイッチセット３３Ａを突出させるための孔部２２Ａ１，２２Ａ２が設けられている。
【００３７】
なお、本体フレーム２０Ａは、後述する基板ユニットに実装されたＬＥＤから出射される光を透過させるために、少なくともフレーム側面部２２Ａが半透明または透明な樹脂を材質として形成されても良い。しかしながら、本体フレーム２０Ａは、非透明な材質から形成されても良い。
【００３８】
ここで、本体フレーム２０Ａには、照明装置１０Ａとは別体のアタッチメント（たとえば図９に示す蓋型アタッチメント１００Ａ）に取り付けるための係合凹部２３Ａが設けられている。図４は、本体フレーム２０Ａの係合凹部２３Ａ付近を拡大して示す斜視図である。図４に示すように、係合凹部２３Ａは、基盤部２１Ａの表面および裏面に対して傾斜しているテーパ面２３Ａ１を有している。また、係合凹部２３Ａには、矢印Ａに示すような挿し込み方向Ａに対して直交または挿し込み方向Ａに戻る側に傾斜する立設面２３Ａ２も設けられている。これらテーパ面２３Ａ１と立設面２３Ａ２により、係合凹部２３Ａには凹み深さが異なる段差部分が設けられている。
【００３９】
このように構成されることで、後述するように、２つの照明装置１０Ａ（第１照明装置、第２照明装置）で基盤部２１Ａ同士が密着する状態で保持されている場合、係合凹部２３Ａ同士が突き合わされることで（対向状態となることで）、より大きな挿し込み空間（穴部）が形成される。そして、挿し込み空間を形成する係合凹部２３Ａは、後述するフック部１０２Ａ，１１２Ａ（図１０、図１１、図１３〜図１５参照）の挿し込みを容易にしつつも、フック部１０２Ａ，１１２Ａが係合凹部２３Ａから抜けようとする際には、後述する係合面１０３Ａ２が立設面２３Ａ２に係止する。それにより、挿し込み空間（係合凹部２３Ａ）にフック部１０２Ａ，１１２Ａが挿し込まれた場合に、係合凹部２３Ａは、抜け止めとして機能を果たす。ここで、係合凹部２３Ａおよび上述の挿し込み空間（穴部）は、アタッチメント取付部に対応する。
【００４０】
なお、立設面２３Ａ２は、矢印Ａに示すような挿し込み方向Ａに対して直交または挿し込み方向Ａに戻る側に傾斜していなくても良い。たとえば、挿し込み方向Ａに向かうにつれて、基盤部２１Ａの表面からの深さが深くなるように傾斜しても良い。
【００４１】
また、係合凹部２３Ａは、テーパ面２３Ａ１や立設面２３Ａ２を有さない。この係合凹部２３Ａは、単純な構造からなる凹部であっても良い。同様に、フック部１０２Ａ，１１２Ａは、返し部１０３Ａ，１１３Ａを有さない、単純な構造からなる凸部であっても良い。ここでいう『単純な構造』とは、挿し込み方向Ａに対して交差する方向成分を含む凹凸構造を有さない構造のことを指す（図１０、図１３参照）。
【００４２】
また、一対の係合凹部２３Ａの間の部位には、基盤部２１Ａから突出するボス２４Ａが設けられている。ボス２４Ａは、後述する立ち上がり部１４２Ａのボス孔１４３Ａに差し込まれる部分である（図２３、図２４参照）。なお、ボス２４Ａは、照明装置１０Ａ１（第１照明装置）と照明装置１０Ａ２（第２照明装置）の少なくとも一方の本体フレーム２０Ａの基盤部２１Ａに設けられていれば良い。
【００４３】
また、基板ユニット３０Ａは、折り曲げ可能なフレキシブルプリント基板３１Ａに、各種の電子部品が実装されている。具体的には、フレキシブルプリント基板３１Ａのうち、基盤部２１Ａと対向する平面部３１Ａ１には、図示を省略する回路パターンが形成され、また図示を省略する電子部品が実装されている。また、図２および図３に示すように、平面部３１Ａ１の端部側には、ＵＳＢコネクタ３２Ａやスイッチセット３３Ａが取り付けられている。
【００４４】
また、フレキシブルプリント基板３１Ａのうち、フレーム側面部２２Ａと対向するように平面部３１Ａ１に対して折り曲げられた折曲部３１Ａ２には、複数のＬＥＤチップ３４Ａが実装されている。ＬＥＤチップ３４Ａは、折曲部３１Ａ２に対して、たとえば所定間隔毎となるように複数個取り付けられていて、後述する反射シート６０Ａの反射平面部６１Ａよりも上方側（図２、図３におけるＺ１側）に位置するように設けられている。ただし、ＬＥＤチップ３４Ａの取り付け間隔は、所定間隔毎ではなく任意に設定可能である。なお、ＬＥＤチップ３４Ａは光源に対応する。
【００４５】
また、照明装置１０Ａには、磁石４０Ａが内蔵されている。磁石４０Ａは、他の照明装置１０Ａに内蔵されている磁石４０Ａや、磁石４０Ａに対して吸着される鉄のような軟磁性材を材質とする他の部材に対し、磁力吸引によって吸着する部分である。この磁石４０Ａは、基盤部２１Ａの所定部位に取り付けられるが、その取付位置は種々変更可能である。なお、図２および図３に示す構成では、磁石４０Ａは一対設けられている。
【００４６】
ここで、他の照明装置１０Ａの磁石４０Ａと反発させないため、一対の磁石４０Ａは、基盤部２１Ａに面する磁極が異なる構成とすることが好ましい。この場合には、他の照明装置１０Ａの基盤部２１Ａ同士が接合するように向い合せた際に、磁力吸引によって２つの照明装置１０Ａを良好に固定することができる。また、磁石４０Ａを１つのみ設け、残りの１つを軟磁性材から形成される磁性部材としても良い。この場合にも、他の照明装置１０Ａの基盤部２１Ａ同士が接合するように向い合せた際に、磁力吸引によって２つの照明装置１０Ａを良好に固定することができる。
【００４７】
また、たとえば２つの照明装置１０Ａが存在する場合、一方の照明装置１０Ａでは一対の磁石４０Ａを内蔵する構成とすると共に、他方の照明装置１０Ａでは軟磁性材から形成される一対の磁性部材を内蔵する構成としても良い。また、図２および図３に示す構成では、磁石４０Ａは一対設けられているが、磁石４０Ａの個数は一対には限られず、１つ以上であれば幾つ設けられていても良く、磁石４０Ａに代えて軟磁性材から形成される１つ以上の磁性部材を設ける構成を採用しても良い。なお、図２および図３に示す構成では、磁石４０Ａは円柱形状に設けられている。しかしながら、磁石は、棒状やＵ字状など、その他の形状に形成されていても良い。磁石が棒状やＵ字状に形成されている場合には、磁石は２つ以上設けても良いが、１つのみ設ける構成とすることも可能である。
【００４８】
また、基板ユニット３０Ａの上部側（図２、図３におけるＺ１側）には、電源ユニット５０Ａが配置されている。電源ユニット５０Ａは、たとえばリチウムイオン電池やニッケル水素電池のような充電池（二次電池）が挙げられるが、二次電池でなく使い捨てタイプの一次電池を用いても良い。また、二次電池や一次電池に代えて、または二次電池や一次電池と共に、外部商用電源の交流電流を直流電流に変換する電源回路が設けられる構成を採用しても良く、光エネルギーを電力に変換する太陽電池を搭載しても良い。なお、外部商用電源の交流電流を直流電流に変換する電源回路が設けられる場合、非接触での電力伝送を用いるようにしても良い。この場合、たとえば電磁誘導を用いた電磁誘導方式等を用いることができる。
【００４９】
また、電源ユニット５０Ａの上部側（図２、図３におけるＺ１側）には、反射シート６０Ａが配置されている。反射シート６０Ａは、フィルムまたは板状の部材に、たとえば白色塗料を塗装したり、アルミニウムを蒸着することで形成することができる。図２および図３に示すように、反射シート６０Ａには、１つの矩形状の反射平面部６１Ａと、その反射平面部６１Ａから上方側（図２、図３におけるＺ１側）に向かうように折り曲げられた３つの反射折曲部６２Ａとが存在しているが、矩形状の反射平面部６１Ａの一辺には反射折曲部６２Ａが存在していない開放部分６３Ａとなっている。この開放部分６３Ａに上述したＬＥＤチップ３４Ａが取り付けられた折曲部３１Ａ２が位置することで、ＬＥＤチップ３４Ａから出射された光が、反射シート６０Ａの反射平面部６１Ａや反射折曲部６２Ａで反射される構成となっている。
【００５０】
また、反射シート６０Ａの反射平面部６１Ａの上面側（図２、図３におけるＺ１側）には、導光板７０Ａが配置されている。導光板７０Ａは、ＬＥＤチップ３４Ａから出射された出射光、または反射シート６０Ａで反射された反射光を導光する部材であり、たとえばアクリルやポリカーボネートのような透明な樹脂を材質として形成されている。なお、導光板７０Ａは、透明、半透明、または光を反射する白色や金属色等で塗装された光散乱粒子を多数内蔵する構成であっても良い。また、拡散板８０Ａ側の表面に多数の凹凸が存在することで、光を出射させ易くする構成を採用しても良い。
【００５１】
また、導光板７０Ａの上面側（図２、図３におけるＺ１側）には、拡散板８０Ａが配置されている。拡散板８０Ａは、導光板７０Ａから出射された出射光を拡散させ、外部に向けて出射する部分である。この拡散板８０Ａは、光出射主面部８１Ａと、その光出射主面部８１Ａから下方側（図２、図３におけるＺ２側）に向かって突出する光出射側面部８２Ａとを備えている。また、光出射側面部８２Ａは、光出射主面部８１Ａに繋がる湾曲部８３Ａを備えている。これらのうち、光出射主面部８１Ａは導光板７０Ａと所定の間隔を有する状態で対向している。また、光出射側面部８２Ａは、上述した本体フレーム２０Ａのフレーム側面部２２Ａと突き合わされる部分であり、その突き合せによって、照明装置１０Ａの内部構成が外部から封止される状態となる。なお、光出射主面部８１Ａと光出射側面部８２Ａは、光出射面部に対応する。なお、光出射側面部８２Ａは、湾曲部８３Ａを備えなくても良い。また、光出射側面部８２Ａは、湾曲部８３Ａのみで構成されても良い。
【００５２】
この拡散板８０Ａは、たとえばアクリルやポリカーボネートのような透明な樹脂を材質としつつ、その内部に多数の光散乱粒子を含有した、光散乱導光体となっている。拡散板８０に光散乱導光体を用いることで、拡散板８０Ａ内に入射した光が拡散板８０Ａ内で散乱され、光出射主面部８１Ａ、光出射側面部８２Ａおよび湾曲部８３Ａから外部に向かい、光の照度分布の均一化が図られた状態で出射される。
【００５３】
以上のような第１構成例に係る照明装置１０Ａでは、ＬＥＤチップ３４Ａから出射された出射光は、反射シート６０Ａの反射平面部６１Ａや反射折曲部６２Ａで反射した後に、または直接的に導光板７０Ａに入射する。そして、導光板７０Ａに入射した光は、導光板７０Ａを進行した後に、その上面側（拡散板８０Ａと対向する面）から出射し、拡散板８０Ａに入射する。そして、拡散板８０Ａに入射した光は、拡散板８０Ａの内部で散乱されながら、光出射主面部８１Ａ、光出射側面部８２Ａおよび湾曲部８３Ａから出射される。
【００５４】
以上のような構成の照明装置１０Ａは、磁石４０Ａや係合凹部２３Ａを備えることで、他の照明装置１０Ａと組み合わせたり、別部材の蓋型アタッチメント１００Ａ、カバー型アタッチメント１１０Ａや板状アタッチメント１４０Ａと組み合わせることで、照明ユニットとしての形態をフレキシブルに変更することができる。すなわち、照明装置１０Ａは、拡張性に優れたものとなっている。また、照明装置１０Ａは、現状のランタンと比較して小型であるので、持ち運びし易く、利便性に優れたものとなっている。なお、蓋型アタッチメント１００Ａ、カバー型アタッチメント１１０Ａおよび板状アタッチメント１４０Ａは、アタッチメントに対応する。
【００５５】
また、照明装置１０Ａは、光出射主面部８１Ａ、光出射側面部８２Ａおよび湾曲部８３Ａから光を出射することができる。光出射主面部８１Ａから出射された光は、基盤部２１Ａの存在する側とは反対側の方向に出射される。また、光出射側面部８２Ａおよび湾曲部８３Ａから出射される光は、光出射主面部８１Ａの周囲に向けて出射される。このように、光出射主面部８１Ａ、光出射側面部８２Ａおよび湾曲部８３Ａを備える照明装置１０Ａは、広い範囲を明るく照らすことができる。
【００５６】
＜照明装置の第２構成例＞
以下、第２構成例に係る照明装置１０Ｂについて説明する。なお、第２構成例に係る照明装置１０Ｂは、第１構成例に係る照明装置１０Ａと主要構成は同様であるので、以下、相違する部分について説明する。また、以下の説明では、第２構成例に係る照明装置１０Ｂについては、第１構成例の各部位に付されているアルファベット「Ａ」の代わりにアルファベット「Ｂ」を付して表記するものとする。この場合、第２構成例では説明されない部分についても、図面上でアルファベット「Ｂ」を付した符号が存在する場合がある。
【００５７】
図５は、第２構成例に係る照明装置１０Ｂを示す斜視図である。図６は、図５に示す照明装置１０Ｂの構成を示す分解斜視図であり、上側（拡散板８０Ｂ側）から見た状態を示す図である。図７は、図５に示す照明装置１０Ｂを下側（基盤フレーム２１０Ｂ側）から見た状態を示す分解斜視図である。
【００５８】
図５から図７に示すように、照明装置１０Ｂは、第１構成例の本体フレーム２０Ａとは異なる構成の本体フレーム２０Ｂを備えている。具体的には、本体フレーム２０Ｂは、基盤フレーム２１０Ｂと、中間フレーム２２０Ｂの２つの部材から構成されている。
【００５９】
図５および図７に示すように、基盤フレーム２１０Ｂには、その基盤部２１１Ｂの裏面側から窪む収納凹部２１２Ｂが設けられている。収納凹部２１２Ｂは、後述するような吊下ブラケット１２０Ｂ（図１７〜図２０参照）を収納するための部分であり、その吊下ブラケット１２０Ｂに対応した形状に設けられている。具体的には、収納凹部２１２Ｂには、吊下ブラケット１２０Ｂのアーム部１２１Ｂを収納する長尺凹部２１３Ｂが設けられている。また、収納凹部２１２Ｂには、長尺凹部２１３Ｂの端部側に吊下ブラケット１２０Ｂの第１ハンド部１２２Ｂを収納するハンド用凹部２１４Ｂも設けられている。
【００６０】
なお、第１ハンド部１２２Ｂはリング状に設けられているので、ハンド用凹部２１４Ｂも円形状に窪んでいる。
【００６１】
また、図６に示すように、本体フレーム２０Ｂには、磁石収納部２１５Ｂも設けられている。磁石収納部２１５Ｂは、基盤フレーム２１０Ｂの基盤部２１１Ｂの表面側において、磁石４０Ｂ（図示省略）を収納する部分である。図６に示す構成では、磁石収納部２１５Ｂはリング状のボスおよび基盤２１１Ｂに囲まれることで形成されている。なお、部品点数を削減する観点から、磁石収納部２１５Ｂは、磁石４０Ｂに対して若干小さめの寸法を有することで、磁石４０Ｂを磁石収納部２１５Ｂに嵌め込むことで取り付けられることが好ましい。
【００６２】
また、基盤フレーム２１０Ｂには、基盤部２１１Ｂの縁部から上方に向かうように立設された４つの周壁部２１６Ｂも設けられている。この周壁部２１６Ｂは、後述する中間フレーム２２０Ｂの周壁部２２１Ｂと当接または近接対向する部分である。また、周壁部２１６Ｂのいずれか（たとえば向かい合う２つの周壁部２１６Ｂ）には、爪部２１７Ｂが設けられている。爪部２１７Ｂは、後述する周壁部２２１Ｂの爪用凹部２２２Ｂに嵌まり込むことで、基盤フレーム２１０Ｂと中間フレーム２２０Ｂとを一体的に固定させるための部分である。なお、基盤フレーム２１０Ｂには、上述した第１構成例の係合凹部２３Ａに対応する係合凹部２３Ｂも設けられている。
【００６３】
また、中間フレーム２２０Ｂは、基盤フレーム２１０Ｂの上方側（拡散板８０Ｂ側）に積層される。この中間フレーム２２０Ｂは、上述した周壁部２１６Ｂの外面と当接または近接対向する４つの周壁部２２１Ｂを備えている。周壁部２２１Ｂは、周壁部２１６Ｂよりも上方側（拡散板８０Ｂ側）に延伸していて、その上端側で拡散板８０Ｂの光出射側面部８２Ｂに対し、嵌合やビス止め等、その他の手法で固定する。
【００６４】
この周壁部２２１Ｂのうち、上述した爪部２１７Ｂと対向する位置には、凹形状の爪用凹部２２２Ｂが設けられている。そして、爪用凹部２２２Ｂに上述した爪部２１７Ｂが嵌まり込むことで、基盤フレーム２１０Ｂと中間フレーム２２０Ｂとが一体的に固定される。また、周壁部２２１Ｂのうち、係合凹部２３Ｂと対向する部位には、切欠部２２３Ｂが設けられている。この切欠部２２３Ｂの存在により、後述するフック部１０２Ａ，１１２Ａが係合凹部２３Ｂに差し込まれるのを可能としている。
【００６５】
また、中間フレーム２２０Ｂには、仕切り部２２４Ｂが設けられている。仕切り部２２４Ｂは、基盤フレーム２１０Ｂ、拡散板８０Ｂおよび周壁部２２１Ｂで囲まれた空間を、２つに分割する部分である。そして、仕切り部２２４Ｂで分割された上側（拡散板８０Ｂ側）には、図２および図３に示すような基板ユニット３０Ａと同様の基板ユニット３０Ｂ（図示省略）、反射シート６０Ａと同様の反射シート６０Ｂ（図示省略）および導光板７０Ａと同様の導光板７０Ｂ（図示省略）が配置される。また、仕切り部２２４Ｂで分割された下方側（基盤フレーム２１０Ｂ側）には、図２および図３に示すような電源ユニット５０Ａと同様の電源ユニット５０Ｂ（図示省略）が配置される。
【００６６】
なお、図６および図７に示すように、仕切り部２２４Ｂには複数のリブ２２５Ｂが設けられていて、このリブ２２５Ｂにより、上述した基板ユニット３０Ｂ、反射シート６０Ｂおよび導光板７０Ｂを上方側（拡散板８０Ｂ側）に位置させた状態で支持することが可能となっている。また、仕切り部２２４Ｂの中央部には、挿通孔２２６Ｂが設けられていて、電源ユニット５０Ｂと基板ユニット３０Ｂの間の電気的な配線等を挿通させることが可能となっている。
【００６７】
また、中間フレーム２２０Ｂには、後述するヒンジ機構９０Ｂを構成する一対の筒状支持部２２７Ｂが設けられている。この筒状支持部２２７Ｂの筒孔２２８Ｂには、不図示の軸部材が挿し込まれる。それにより、照明装置１０Ｂに対して、別途の照明装置１０Ｂがヒンジ機構９０Ｂを介して回動可能となっている。
【００６８】
なお、拡散板８０Ｂの構成は、上述した第１構成例に係る拡散板８０Ａと同様である。したがって、その詳細についての説明は省略する。
【００６９】
以上のような、第１構成例に係る照明装置１０Ａ、および第２構成例に係る照明装置１０Ｂは、２つ等のような複数個組み合わせることで、照明ユニット１Ａ，１Ｂを構成する。以下、この照明ユニット１Ａ，１Ｂについて説明すると共に、その使用例についても説明する。
【００７０】
＜第１使用例；２つの照明装置１０Ａが対向して密着した状態で使用する場合＞
図８は、第１構成例に係る照明装置１０Ａを２つ組み合わせた照明ユニット１Ａの構成を示す図である。図８に示す照明ユニット１Ａは、２つの照明装置１０Ａが対向して密着した状態に設けられている。すなわち、一方の照明装置１０Ａ（照明装置１０Ａ１とする）と、他方の照明装置１０Ａ（照明装置１０Ａ２とする）とが、磁石４０Ａの吸引力によって互いに密着された状態となっている。なお、照明装置１０Ａ１は第１照明装置に対応し、照明装置１０Ａ２は第２照明装置に対応するが、照明装置１０Ａ２を第１照明装置に対応し、照明装置１０Ａ１を第２照明装置に対応するものとしても良い。
【００７１】
このように取り付ける場合、照明ユニット１Ａでは、一方の照明装置１０Ａ１の拡散板８０Ａから光を出射させると共に、他方の照明装置１０Ａ２の拡散板８０Ａからも光を出射させることができる。すなわち、照明ユニット１Ａの表裏両面から光を出射させることができる。したがって、現状のランタンと比較して、明るく照らせる範囲を広げることができる。また、図８に示す状態では、一方の照明装置１０Ａ１のフレーム側面部２２Ａと、他方の照明装置１０Ａ２のフレーム側面部２２Ａとが並列されることで、これらに跨る起立平面が存在する状態となる。
【００７２】
以上のように、少なくとも照明装置１０Ａ１（第１照明装置）と照明装置１０Ａ２（第２照明装置）を備える照明ユニット１Ａにおいては、照明装置１０Ａ１（第１照明装置）および照明装置１０Ａ２（第２照明装置）は、光を出射するＬＥＤチップ３４Ａ（光源）と、ＬＥＤチップ３４Ａ（光源）から出射された光を拡散した状態で外部に出射する光出射主面部８１Ａおよび光出射側面部８２Ａ（光出射面部）を備える拡散板８０Ａと、ＬＥＤチップ３４Ａ（光源）および拡散板８０Ａが取り付けられ、光出射面部（光出射主面部８１Ａ、光出射側面部８２Ａ）の光出射方向と反対の側に基盤部２１Ａを有する本体フレーム２０Ａと、照明装置１０Ａ１（第１照明装置）の基盤部２１Ａと照明装置１０Ａ２（第２照明装置）の基盤部２１Ａとが互いに対向した状態である対向状態を保持する磁石４０Ａ（保持手段）と、を備えている。
【００７３】
このため、照明ユニット１Ａでは、２つの光出射主面部８１Ａから光を出射させることができるので、光を照射する範囲を広げることが可能となる。また、照明装置１０Ａ１，１０Ａ２が磁石４０Ａ（保持手段）を介して密着する構成を採用しているので、照明装置１０Ａ１，１０Ａ２同士の密着および取り外しを容易に行うことができる。また、照明装置１０Ａ１，１０Ａ２同士が密着することで、装置構成をコンパクト化することができ、携帯性を向上させることができる。また、照明ユニット１Ａをコンパクト化することができるので、テーブル等に設置する際に照明ユニット１Ａが占める面積を低減することができる。したがって、照明ユニット１Ａは、現状のランタンと比較して利便性を向上させることができる。
【００７４】
また、照明ユニット１Ａにおいては、保持手段は、少なくとも１つの磁石４０Ａを備えている。このため、照明装置１０Ａ１と、照明装置１０Ａ２とを磁力吸引によって容易に固定することができる。また、照明装置１０Ａ１と、照明装置１０Ａ２とが磁力吸引されている状態を容易に解除することもできる。
【００７５】
さらに、照明ユニット１Ａにおいては、拡散板８０Ａの光出射面部として、光出射主面部８１Ａと光出射側面部８２Ａとを備えていて、これら光出射主面部８１Ａと光出射側面部８２Ａは一体的に設けられている。また、光出射主面部８１Ａは基盤部２１Ａと対向配置されると共に、光出射側面部８２Ａは、光出射主面部８１Ａよりも基盤部２１Ａに突出する状態に設けられている。このような、光出射主面部８１Ａと光出射側面部８２Ａとを備えることで、光を出射する範囲を広げることが可能となる。
【００７６】
また、照明ユニット１Ａにおいては、本体フレーム２０Ａは、基盤部２１Ａの周縁側から拡散板８０Ａ側に立ち上がるフレーム側面部２２Ａを備え、対向状態においては、照明装置１０Ａ１（第１照明装置）のフレーム側面部２２Ａと照明装置１０Ａ２（第２照明装置）のフレーム側面部２２Ａとが並列され、その並列によってこれらのフレーム側面部２２Ａに跨る起立平面が設けられる。このため、照明ユニット１Ａをテーブル等に置く際に、並列されたフレーム側面部２２Ａ，２２Ａを利用して、照明ユニット１Ａを立てた状態で容易に設置することができる。また、起立平面をフレーム側面部２２Ａの全周に形成するのではなく、フレーム側面部２２Ａの一部のみを起立平面として構成することも可能である。たとえば、フレーム側面部２２Ａの一部を突出させて突出部を形成し、この突出部に起立平面を形成しても良い。
【００７７】
また、照明ユニット１Ａにおいては、この照明ユニット１Ａを外部のアタッチメント（蓋型アタッチメント１００Ａ、カバー型アタッチメント１１０Ａ）に取り付けるためのアタッチメント取付部（係合凹部２３Ａ、穴部）が設けられている。このため、外部のアタッチメント（蓋型アタッチメント１００Ａ、カバー型アタッチメント１１０Ａ）を利用して、照明ユニット１Ａを他の部材（たとえばペットボトル等の容器）に容易に取り付けることが可能となる。
【００７８】
また、上述のアタッチメント取付部は、照明装置１０Ａ１（第１照明装置）の基盤部２１Ａと照明装置１０Ａ２（第２照明装置）の基盤部２１Ａとが互いに対向した状態である対向状態においてフレーム側面部２２Ａに開口を有する穴部であり、その穴部は、それぞれの基盤部２１Ａが上述した対向状態において互いに対向する側の対向面から窪むと共に基盤部２１Ａの外周に面して窪む係合凹部２３Ａが対向状態となることで形成されている。
【００７９】
このため、照明装置１０Ａ１（第１照明装置）の基盤部２１Ａと照明装置１０Ａ２（第２照明装置）の基盤部２１Ａとが互いに対向した対向状態とすることで、対向する係合凹部２３Ａ同士が連通した穴部が容易に形成される。そのため、この穴部（係合凹部２３Ａ）に外部のアタッチメント（蓋型アタッチメント１００Ａ、カバー型アタッチメント１１０Ａ）を挿し込むことで、照明ユニット１Ａを他の部材（たとえばペットボトル等の容器）に容易に取り付けることが可能となる。
【００８０】
なお、係合凹部２３Ａ（穴部）は、フック部１０２Ａ，１１２Ａが挿入され、係合することが可能な形状であれば良く、係合凹部２３Ａの凹部を形成する面に、挿し込み方向Ａと交差する方向の成分を含む凹凸構造を設けない単純な溝形状（穴形状）としても良い。このような構造にすることにより、基盤部２１Ａを含む本体フレーム２０Ａを製造する際に、係合凹部２３Ａを形成する際の金型の形状を単純化でき、それによって製造コストの増大を抑制することが可能となる。更に、上記のような単純な形状であることにより、部品の製造精度を高く保つことが容易になる。
【００８１】
＜第２使用例；２つの照明装置１０Ａが対向して密着させると共に、蓋型アタッチメント１００Ａに取り付けられた状態で使用する場合＞
図９は、第１構成例に係る照明装置１０Ａを２つ組み合わせた照明ユニット１Ａが蓋型アタッチメント１００Ａに取り付けられた状態を示す図である。図９に示す照明ユニット１Ａは、図８に示すのと同様に、２つの照明装置１０Ａ１，１０Ａ２が対向して密着した状態に設けられている。これと共に、図９に示す照明ユニット１Ａは、蓋型アタッチメント１００Ａに取り付けられている。
【００８２】
図１０は、蓋型アタッチメント１００Ａの構成を示す斜視図である。図１１は、照明ユニット１Ａおよび蓋型アタッチメント１００Ａの図９に示す取付状態における断面図である。図１０および図１１に示すように、蓋型アタッチメント１００Ａには、蓋本体１０１Ａと、フック部１０２Ａとが設けられている。蓋本体１０１Ａは、たとえばペットボトル等のような容器の容器本体Ｐ１の首部に取り付け可能な有底の筒状の部分であり、その筒状の内壁側には、容器本体Ｐ１の首部の雄ネジ部分に捻じ込み可能な雌ネジ部分（図示省略）が設けられている。
【００８３】
また、蓋本体１０１Ａの上底面１０１Ａ１から、フック部１０２Ａが突出している。なお、フック部１０２Ａは、照明ユニット取付部に対応する。フック部１０２Ａは、上述した係合凹部２３Ａに挿入される部分である。そのため、フック部１０２Ａには、それぞれ返し部１０３Ａが設けられている。この返し部１０３Ａには上述したテーパ面２３Ａ１と同様のテーパ面１０３Ａ１が設けられていると共に、上述した立設面２３Ａ２と同様の係合面１０３Ａ２が設けられていることで、返し部１０３Ａは段差状に設けられている。したがって、フック部１０２Ａは、係合凹部２３Ａへの差し込みは容易であるものの、立設面２３Ａ２に係合面１０３Ａ２が係合することで、係合凹部２３Ａから容易に抜けない構成となっている。
【００８４】
ここで、図１０に示すように、照明装置１０Ａが対抗状態で２つ密着される場合、係合凹部２３Ａは合計４つ存在するので、フック部１０２Ａも４つ存在している。ただし、図１０に示す構成では、近接する２つのフック部１０２Ａは、連結部１０４Ａを介して一体的となるように設けられている。それにより、近接する２つのフック部１０２Ａがそれぞれ別個に存在する場合よりも強度が向上すると共に、金型での製作性が向上する。
【００８５】
以上のように、蓋型アタッチメント１００Ａに照明ユニット１Ａを取り付ける場合、照明ユニット１Ａの取り付けの利便性を高めることが可能となる。特に、ペットボトル飲料は非常に入手し易いと共に、アウトドアにおける飲食の際にも、飲み物として利用されることが多い。したがって、図１２に示すように、既に飲用した空のペットボトル、または未だ飲料が内部に存在しているペットボトルを利用して、蓋型アタッチメント１００Ａを介して照明ユニット１Ａを取り付けることが可能となる。なお、図１２は、図１０に示す蓋型アタッチメント１００Ａを介して、容器本体Ｐ１に照明ユニット１Ａが取り付けられた状態のスタンド型照明２Ａを示す斜視図である。
【００８６】
ここで、アウトドアにおいては、容器本体Ｐ１は、食事用のテーブルに置かれる場合も多い。したがって、全く飲食に供しないランタンを食事用のテーブルに置く場合と比較して、テーブルのスペースを余分に取ってしまうのを防止することができる。また、ペットボトルの容器本体Ｐ１は、一般的なランタンと比較して非常に持ち運びし易いので、持ち運びの利便性を向上させることができる。また、ペットボトル自体の色や飲料の色を照明ユニット１Ａから出射される照明光が照らすことで、種々の照明光を楽しむことも可能となる。
【００８７】
以上のように、第２使用例に係る照明ユニット１Ａは、蓋型アタッチメント１００Ａ（アタッチメント）を有していて、その蓋型アタッチメント１００Ａ（アタッチメント）には、閉じ状態の係合凹部２３Ａ（穴部）に挿入されると共に、係合凹部２３Ａ（穴部）への挿入によって照明ユニット１Ａに取り付けられるフック部１０２Ａ（照明ユニット取付部）が設けられている。このため、フック部１０２Ａを係合凹部２３Ａ（穴部）に挿入することで、照明ユニット１Ａに蓋型アタッチメント１００Ａ（アタッチメント）を容易に取り付けることができる。また、蓋型アタッチメント１００Ａ（アタッチメント）を利用して、照明ユニット１Ａをペットボトル等の容器に容易に取り付けることが可能となる。
【００８８】
なお、フック部１０２Ａは、係合凹部２３Ａ（穴部）に挿入され、係合することができる形状であれば良く、フック部１０２Ａの係合凹部２３Ａと係合する側面に、挿し込み方向Ａ（上底面１０１Ａ１からフック部１０２Ａの先端へ向かう方向）と交差する方向の成分を含む凹凸構造を有さない単純な突起形状でも良い。このような構成にすることにより、アタッチメントを製造する際に、フック部１０２Ａを成形するための金型の形状を単純化でき、それによって製造コストの増大を抑制することが可能となる。更に、上記のような単純な形状であることにより、部品の製造精度を高く保つことが容易になる。
【００８９】
さらに、第２使用例に係る照明ユニット１Ａにおいては、係合凹部２３Ａには、凹みの深さが異なる段差部分が存在し、係合凹部２３Ａ（穴部）には蓋型アタッチメント１００Ａ（アタッチメント）に設けられるフック部１０２Ａ（照明ユニット取付部）が挿入される。これと共に、このフック部１０２Ａ（照明ユニット取付部）には段差状の返し部１０３Ａが設けられていて、段差状の返し部１０３Ａが係合凹部２３Ａの段差部分に係合することで、蓋型アタッチメント１００Ａの抜け止めとして機能する。
【００９０】
このため、連通状態にある２つの係合凹部２３Ａの段差部分にフック部１０２Ａを差し込むと、返し部１０３Ａが係合することで、蓋型アタッチメント１００Ａが照明ユニット１Ａに取り付けられた状態を維持することができる。
【００９１】
さらに、第２使用例に係る照明ユニット１Ａは、蓋型アタッチメント１００Ａ（アタッチメント）を有する構成とすることができ、その蓋型アタッチメント１００Ａ（アタッチメント）のフック部１０２Ａ（照明ユニット取付部）には、係合凹部２３Ａの段差部分に係合する返し部１０３Ａが設けられている。この返し部１０３Ａが係合凹部２３Ａの段差部分に係合している。
【００９２】
このため、フック部１０２Ａ（照明ユニット取付部）を係合凹部２３Ａに挿し込むことで、蓋型アタッチメント１００Ａ（アタッチメント）を照明ユニット１Ａに容易に取り付けることができる。また、係合凹部２３Ａの段差部分と段差状の返し部１０３Ａとが係合することで、照明ユニット１Ａに取り付けられた蓋型アタッチメント１００Ａ（アタッチメント）は、照明ユニット１Ａから容易に外れない状態とすることができる。
【００９３】
さらに、第２使用例に係る照明ユニット１Ａでは、蓋型アタッチメント１００Ａ（アタッチメント）は、首部を有する容器に取り付けられると共に、蓋型アタッチメント１００Ａ（アタッチメント）には、首部を有する容器に捻じ込まれる蓋本体１０１Ａを備えている。
【００９４】
したがって、ペットボトルを始めとする容器本体Ｐ１に、蓋型アタッチメント１００Ａを容易に取り付けることが可能となる。このため、照明ユニット１Ａの取り付けおよび設置の利便性を向上させることが可能となる。
【００９５】
また、第２使用例における、複数の照明装置１０Ａから構成される、少なくとも照明装置１０Ａ１（第１照明装置）と照明装置１０Ａ２（第２照明装置）から構成される照明ユニット１Ａを首部を有する容器に取り付けるための蓋型アタッチメント１００Ａ（アタッチメント）は、容器の首部の雄ネジ部に捻じ込まれる蓋本体１０１Ａと、この蓋本体１０１Ａを照明ユニット１Ａに取り付けるためのフック部１０２Ａ（照明ユニット取付部）とを備えている。
【００９６】
このため、フック部１０２Ａ（照明ユニット取付部）を、連通状態にある２つの係合凹部２３Ａ（穴部）に挿し込むことで、蓋型アタッチメント１００Ａを介して、照明ユニット１Ａを、容器本体Ｐ１に容易に取り付けることができる。
【００９７】
また、フック部１０２Ａ（照明ユニット取付部）は、蓋本体１０１Ａから突出して設けられ、フック部１０２Ａ（照明ユニット取付部）は、照明ユニット１Ａに設けられる係合凹部２３Ａ（穴部）に挿入される。このため、フック部１０２Ａが係合凹部２３Ａ（穴部）に挿し込まれることで、照明ユニット１Ａが容器本体Ｐ１に取り付けられた構成を実現できる。
【００９８】
また、第２使用例においては、照明ユニット１Ａと蓋型アタッチメント１００Ａと容器本体Ｐ１から独立して起立状態を維持可能なスタンド型照明２Ａを実現することができる。すなわち、スタンド型照明２Ａは、蓋型アタッチメント１００Ａ（アタッチメント）が取り付けられる首部を有する容器と、蓋型アタッチメント１００Ａ（アタッチメント）のフック部１０２Ａ（照明ユニット取付部）が取り付けられる係合凹部２３Ａ（アタッチメント取付部）を備える照明ユニット１Ａを備える。
【００９９】
このため、ペットボトル等の容器の首部に雄ネジ部が設けられている、容器本体Ｐ１を有するスタンド型照明２Ａを構成することができる。かかる、スタンド型照明２Ａでは、照明ユニット１Ａが備える２つの照明装置１０Ａ１，１０Ａ２の光出射主面部８１Ａおよび光出射側面部８２Ａ（光出射面部）からそれぞれ光を出射させることができるので、光を照射する範囲を広げることが可能となる。また、照明ユニット１Ａでは、照明装置１０Ａ１，１０Ａ２が磁石４０Ａの磁力により密着する構成を採用しているので、照明装置１０Ａ１，１０Ａ２同士の密着および取り外しを容易に行うことができる。
【０１００】
また、スタンド型照明２Ａでは、照明ユニット１Ａがペットボトル等の容器本体Ｐ１に取り付けられた構成を採用するので、現状のランタンと比較して持ち運びし易いものとなり、携帯性を向上させることができる。また、ペットボトル等のような容器本体Ｐ１と同様の取扱いが可能となり、たとえば食事を行うテーブル等にも容易に設置することが可能となる。それにより、現状の食事シーン等と比較して、照明が占めるスペースをさほど増大させずに済み、照明自体が占める面積を低減することができる。したがって、照明ユニット１Ａを取り付けたスタンド型照明２Ａは、現状のランタンと比較して利便性を向上させることができる。
【０１０１】
なお、第２使用例に係る蓋型アタッチメント１００Ａは、上述の第２構成例に係る照明装置１０Ｂに対して用いることは勿論可能である。
【０１０２】
＜第３使用例；２つの照明装置１０Ａが対向して密着させると共に、カバー型アタッチメントに取り付けられた状態で使用する場合＞
【０１０３】
図１３は、カバー型アタッチメント１１０Ａの構成を示す斜視図である。図１４は、カバー型アタッチメント１１０Ａの別の構成例を示す斜視図である。図１５は、図８に示す照明ユニット１Ａおよび図１３に示すカバー型アタッチメント１１０Ａの取付状態における断面図である。図１３から図１５に示すように、カバー型アタッチメント１１０Ａは、蓋型アタッチメント１００Ａと同様の構成となっている。具体的には、カバー型アタッチメント１１０Ａには、カバー本体１１１Ａと、フック部１１２Ａ（照明ユニット取付部に対応）とが設けられている。カバー本体１１１Ａは、たとえば可撓性を備える樹脂を材質として形成されている。このカバー本体１１１Ａは、内部にペットボトル等のような容器の容器本体Ｐ１の首部に存在する口部を塞ぐキャップＰ２を嵌め込む部分であり、その嵌め込みによってカバー型アタッチメント１１０Ａおよび照明ユニット１Ａが取り付けられる。
【０１０４】
なお、カバー本体１１１Ａの材質としては、ゴムや熱可塑性エラストマーを含むエラストマーを材質としても良い。この場合には、キャップＰ２とカバー本体１１１Ａの間の摩擦力が大きくなり、キャップＰ２からカバー本体１１１Ａが容易に脱落しない状態となる。また、このカバー型アタッチメント１１０Ａは、アタッチメントに対応する。
【０１０５】
なお、カバー本体１１１Ａは、図１３に示すような、上底面１１１Ａ１から周方向に連続している（途切れない状態の）外周壁１１１Ａ２が延出している構成であっても良い。この場合、カバー本体１１１Ａ単独で、キャップＰ２に取り付けることができる。しかしながら、カバー本体１１１Ａの外周壁１１１Ａ２の内側の面に、凹形状または凸形状の溝部が設けられ、その溝部に輪ゴムや紐状部材を位置させることで、カバー本体１１１ＡがキャップＰ２に強固に取り付けられる構成としても良い。
【０１０６】
また、カバー本体１１１Ａは、図１４に示すように、外周壁１１１Ａ２に、周方向と直交する向きのスリット１１１Ａ３を複数形成し、外周壁１１１Ａ２が複数個に分割された構成としても良い。この場合には、カバー本体１１１Ａの内径よりも多少大きなキャップ（蓋）の外周に、外周壁１１１Ａ２を追随させて取り付けることができる。そして、その取付後に、輪ゴムや紐状部材で、カバー本体１１１ＡをキャップＰ２の外周に固定することができる。
【０１０７】
また、カバー型アタッチメント１１０Ａは、フック部１１２Ａも有している。フック部１１２Ａは、上述した蓋型アタッチメント１００Ａのフック部１０２Ａと同様の構成となっている。したがって、構成の詳細な説明は省略するが、フック部１１２Ａには、返し部１０３Ａと同様の返し部１１３Ａと、連結部１０４Ａと同様の連結部１１４Ａとが設けられている。また、同様の返し部１１３Ａには、テーパ面１０３Ａ１と同様のテーパ面１１３Ａ１と、係合面１０３Ａ２と同様の係合面１１３Ａ２が設けられている。
【０１０８】
以上のように、カバー型アタッチメント１１０Ａに照明ユニット１Ａを取り付ける場合、照明ユニット１Ａの取り付けの利便性を高めることが可能となる。特に、ペットボトル飲料は非常に入手し易いと共に、アウトドアにおける飲食の際にも、飲み物として利用されることが多い。したがって、図１６に示すように、既に飲用した空のペットボトル、または未だ飲料が内部に存在しているペットボトルを利用して、そのペットボトルが備えるキャップＰ２を介して照明ユニット１Ａを取り付けることが可能となる。
【０１０９】
なお、図１６は、図１３に示すカバー型アタッチメント１１０Ａを介して、ペットボトルのキャップＰ２に照明ユニット１Ａが取り付けられた状態のスタンド型照明２Ａを示す斜視図である。なお、図１３に示すカバー型アタッチメント１１０Ａに代えて、図１４に示すカバー型アタッチメント１１０Ａを介して、ペットボトルのキャップＰ２に照明ユニット１Ａを取り付けて、スタンド型照明２Ａを構成しても良いのは勿論である。
【０１１０】
ここで、アウトドアにおいては、ペットボトルは、食事用のテーブルに置かれる場合も多い。したがって、全く飲食に供しないランタンを食事用のテーブルに置く場合と比較して、テーブルのスペースを余分に取ってしまうのを防止することができる。また、ペットボトルは、一般的なランタンと比較して非常に持ち運びし易いので、持ち運びの利便性を向上させることができる。また、ペットボトル自体の色や飲料の色を照明ユニット１Ａから出射される照明光が照らすことで、種々の照明光を楽しむことも可能となる。
【０１１１】
以上のように、第３使用例に係る照明ユニット１Ａでは、係合凹部２３Ａには、凹みの深さが異なる段差部分が存在し、係合凹部２３Ａ（穴部）にはカバー型アタッチメント１１０Ａ（アタッチメント）に設けられるフック部１１２Ａ（照明ユニット取付部）が挿入される。これと共に、このフック部１１２Ａ（照明ユニット取付部）には段差状の返し部１１３Ａが設けられていて、段差状の返し部１１３Ａが係合凹部２３Ａの段差部分に係合することで、カバー型アタッチメント１１０Ａの抜け止めとして機能する。
【０１１２】
このため、連通状態にある２つの係合凹部２３Ａの段差部分に、返し部１１３Ａが係合することで、カバー型アタッチメント１１０Ａが照明ユニット１Ａに取り付けられた状態を維持することができる。
【０１１３】
さらに、第３使用例に係る照明ユニット１Ａは、カバー型アタッチメント１１０Ａ（アタッチメント）を有する構成とすることができ、そのカバー型アタッチメント１１０Ａ（アタッチメント）のフック部１１２Ａ（照明ユニット取付部）には、係合凹部２３Ａの段差部分に係合する返し部１１３Ａが設けられている。この返し部１１３Ａが係合凹部２３Ａの段差部分に係合している。
【０１１４】
このため、フック部１１２Ａ（照明ユニット取付部）を係合凹部２３Ａに挿し込むことで、カバー型アタッチメント１１０Ａ（アタッチメント）を照明ユニット１Ａに容易に取り付けることができる。また、係合凹部２３Ａの段差部分と段差状の返し部１１３Ａとが係合することで、照明ユニット１Ａに取り付けられたカバー型アタッチメント１１０Ａ（アタッチメント）は、照明ユニット１Ａから容易に外れない状態とすることができる。
【０１１５】
なお、フック部１１２Ａは、蓋型アタッチメント１００Ａのフック部１０２Ａと同様に、係合凹部２３Ａ（穴部）に挿入され、係合することができる形状であれば良く、フック部１１２Ａの係合凹部２３Ａと係合する側面に、挿し込み方向Ａ（上底面１１１Ａ１からフック部１１２Ａの先端へ向かう方向）と交差する方向の成分を含む凹凸構造を有さない単純な突起形状でも良い。このような構成にすることにより、アタッチメントを製造する際に、フック部１１２Ａを成形するための金型の形状を単純化でき、それによって製造コストの増大を抑制することが可能となる。更に、上記のような単純な形状であることにより、部品の製造精度を高く保つことが容易になる。
【０１１６】
さらに、第３使用例に係る照明ユニット１Ａでは、カバー型アタッチメント１１０Ａ（アタッチメント）は、首部を有する容器に取り付けられると共に、カバー型アタッチメント１１０Ａ（アタッチメント）には、首部に存在する口部を塞ぐキャップに取り付けられるカバー本体１１１Ａを備えている。
【０１１７】
したがって、ペットボトルを始めとする各種容器のキャップＰ２に、カバー型アタッチメント１１０Ａを容易に取り付けることが可能となる。このため、照明ユニット１Ａの取り付けおよび設置の利便性を向上させることが可能となる。
【０１１８】
また、第３使用例における、少なくとも照明装置１０Ａ１（第１照明装置）と照明装置１０Ａ２（第２照明装置）から構成される照明ユニット１Ａを首部を有する容器に取り付けるためのカバー型アタッチメント１１０Ａ（アタッチメント）は、容器に取り付けられるキャップＰ２に取り付けられるカバー本体１１１Ａと、カバー本体１１１Ａを照明ユニット１Ａに取り付けるためのフック部１１２Ａ（照明ユニット取付部）と、を備えている。
【０１１９】
このため、フック部１１２Ａ（照明ユニット取付部）を、連通状態にある２つの係合凹部２３Ａ（穴部）に挿し込むことで、カバー型アタッチメント１１０Ａを介して、照明ユニット１Ａを、ペットボトルを始めとする各種容器のキャップＰ２に容易に取り付けることができる。
【０１２０】
また、フック部１１２Ａ（照明ユニット取付部）は、カバー本体１１１Ａから突出して設けられ、フック部１１２Ａ（照明ユニット取付部）は、照明ユニット１Ａに設けられる係合凹部２３Ａ（穴部）に挿入される。このため、フック部１１２Ａが係合凹部２３Ａ（穴部）に挿し込まれることで、照明ユニット１Ａが容器本体Ｐ１に取り付けられた構成を実現できる。
【０１２１】
また、第３使用例においては、照明ユニット１Ａとカバー型アタッチメント１１０Ａと容器本体Ｐ１から独立して起立状態を維持可能なスタンド型照明２Ａを実現することができる。すなわち、スタンド型照明２Ａは、カバー型アタッチメント１１０Ａ（アタッチメント）が取り付けられる首部を有する容器と、カバー型アタッチメント１１０Ａ（アタッチメント）のフック部１１２Ａ（照明ユニット取付部）が取り付けられる係合凹部２３Ａ（アタッチメント取付部）を備える照明ユニット１Ａを備える。
【０１２２】
このため、ペットボトル等の容器の首部にキャップＰ２を有する各種容器を用いてスタンド型照明２Ａを構成することができる。かかる、スタンド型照明２Ａでは、照明ユニット１Ａが備える２つの照明装置１０Ａ１，１０Ａ２の光出射主面部８１Ａおよび光出射側面部８２Ａ（光出射面部）からそれぞれ光を出射させることができるので、光を照射する範囲を広げることが可能となる。また、照明ユニット１Ａでは、照明装置１０Ａ１，１０Ａ２が磁石４０Ａの磁力により密着する構成を採用しているので、照明装置１０Ａ１，１０Ａ２同士の密着および取り外しを容易に行うことができる。
【０１２３】
また、スタンド型照明２Ａでは、照明ユニット１Ａがペットボトル等の各種容器のキャップＰ２に取り付けられた構成を採用するので、現状のランタンと比較して持ち運びし易いものとなり、携帯性を向上させることができる。また、ペットボトル等のような各種容器と同様の取扱いが可能となり、たとえば食事を行うテーブル等にも容易に設置することが可能となる。それにより、現状の食事シーン等と比較して、照明が占めるスペースをさほど増大させずに済み、照明自体が占める面積を低減することができる。したがって、照明ユニット１Ａを取り付けたスタンド型照明２Ａは、現状のランタンと比較して利便性を向上させることができる。
【０１２４】
なお、第３使用例に係るカバー型アタッチメント１１０Ａは、上述の第２構成例に係る照明装置１０Ｂに対して用いることは勿論可能である。
【０１２５】
＜第４使用例；２つの照明装置１０Ｂが対向して密着させると共に、吊下ブラケット１２０Ｂを取り付けた状態で使用する場合＞
図１７は、第２構成例に係る２つの照明装置１０Ｂが対向して密着させると共に、その状態で吊下ブラケット１２０Ｂを取り付けた状態を示す斜視図である。図１８は、吊下ブラケット１２０Ｂの構成を示す斜視図である。
【０１２６】
図１７に示す構成では、２つの照明装置１０Ｂは、ヒンジ機構９０Ｂを介して取り付けられている。ヒンジ機構９０Ｂは、一方の照明装置１０Ｂ（照明装置１０Ｂ１とする）に存在する一対の筒状支持部２２７Ｂと、他方の照明装置１０Ｂ（照明装置１０Ｂ２とする）に存在する一対の筒状支持部２２７Ｂとは、中間フレーム２２０Ｂに設けられている位置が異なっている。
【０１２７】
具体的には、一方の照明装置１０Ｂ１では、一対の筒状支持部２２７Ｂは、照明装置１０Ｂ１の幅方向の両端側に設けられている。これに対して、他方の照明装置１０Ｂ２では、一対の筒状支持部２２７Ｂは、照明装置１０Ｂ１の幅方向の中央側に設けられている。したがって、一方の照明装置１０Ｂ１側の筒状支持部２２７Ｂと、他方の照明装置１０Ｂ２側の筒状支持部２２７Ｂとを直線状に並ぶ配置とすることができる。
【０１２８】
そして、上述のように筒状支持部２２７Ｂが直線状に並んでいる状態で、図示を省略する軸部材をそれぞれの筒孔２２８Ｂに挿通させる。それにより、一方の照明装置１０Ｂ１と他方の照明装置１０Ｂ２との間で、互いに回動可能なヒンジ機構９０Ｂが構成されている。そして、このヒンジ機構９０Ｂを介して、２つの照明装置１０Ｂ１，１０Ｂ２が閉じた状態（対向状態、閉じ状態）としたり、２つの照明装置１０Ｂ１，１０Ｂ２が開いた状態（開き状態）とすることができる。なお、ヒンジ機構９０Ｂは、段階的に角度を変えて位置決めすることが可能に構成されても良い。また、ヒンジ機構は保持手段の一例に対応する。また、図１７に示す状態では、一方の照明装置１０Ｂ１の周壁部２２１Ｂと、他方の照明装置１０Ｂ２の周壁部２２１Ｂとが並列されることで、これらに跨る起立平面が存在する状態となる。
【０１２９】
また、一方の照明装置１０Ｂ１と他方の照明装置１０Ｂ２とは全く同一形状であっても良い。この場合、４つの筒状支持部２２７Ｂを直線状に配置したときに、一方の照明装置１０Ｂ１側の筒状支持部２２７Ｂと、他方の照明装置１０Ｂ２側の筒状支持部２２７Ｂとが交互に配置される構成とすることができる。
【０１３０】
また、図１７に示すように、照明ユニット１Ｂには、吊下ブラケット１２０Ｂが保持されている。吊下ブラケット１２０Ｂは、図１８に示すように、長尺状のアーム部１２１Ｂを備えている。このアーム部１２１Ｂの一端側には、第１ハンド部１２２Ｂが設けられている。第１ハンド部１２２Ｂは、リング状の部分であり、外部の紐や棒などの支持部材を通すことが可能となっている。
【０１３１】
また、アーム部１２１Ｂの他端側には、軸支部１２３Ｂが設けられている。軸支部１２３Ｂもリング状に設けられている部分であり、上述したヒンジ機構９０Ｂの軸部材が挿通される部分である。このため、吊下ブラケット１２０Ｂは、軸支部１２３Ｂを支点として回動可能に設けられている。なお、軸支部１２３Ｂのリング形状は、第１ハンド部１２２Ｂのリング形状に対して直交する配置となっている。
【０１３２】
また、吊下ブラケット１２０Ｂには、第２ハンド部１２４Ｂも設けられている。第２ハンド部１２４Ｂは、軸支部１２３Ｂのうちアーム部１２１Ｂとは反対側に連結されていると共に、軸支部１２３Ｂに直交する配置に設けられている。この第２ハンド部１２４Ｂは、上述した第１ハンド部１２２Ｂと同様に、リング状の部分であり、外部の紐や棒などの支持部材を通すことが可能となっている。図１９は、第２ハンド部１２４Ｂのリング孔に支持部材１３０Ｂとしての紐を挿通させた状態を示す斜視図である。図１９に示すように、支持部材１３０Ｂを第２ハンド部１２４Ｂのリング孔に挿通させた状態で、照明ユニット１Ｂを支持することができる。たとえば、支持部材１３０Ｂを介して、照明ユニット１Ｂをテント内のポールやインナーテント、タープ等に吊り下げることができる。
【０１３３】
なお、第１ハンド部１２２Ｂと第２ハンド部１２４Ｂは、共にハンド部に対応する。
【０１３４】
以上のような第４使用例に係る照明ユニット１Ｂにおいては、上述した第２使用例や第３使用例に関する効果に加え、次のような効果を奏させることができる。すなわち、保持手段は、照明装置１０Ｂ１（第１照明装置）と照明装置１０Ｂ２（第２照明装置）とを回動可能に連結すると共に、これらが対向した対向状態である閉じ状態を保持すると共にこれらの開き状態を保持するヒンジ機構９０Ｂを備えている。
【０１３５】
このため、照明ユニット１Ｂでは、照明装置１０Ｂ１（第１照明装置）と照明装置１０Ｂ２（第２照明装置）の開き状態と閉じ状態とを、容易に切り替えて保持させることが可能となる。そのため、照明ユニット１Ｂを開き状態で使用する場合には、２つの拡散板８０Ｂが並んだ状態で光源としてのＬＥＤチップ３４Ｂ（図示省略）を発光させたり、照明ユニット１Ａの表裏両側に拡散板８０Ｂが配置された状態で光源としてのＬＥＤチップ３４Ｂを発光させることができる。そのため、照明ユニット１Ｂの使用形態をフレキシブルに変更することが可能となる。
【０１３６】
また、第４使用例に係る照明ユニット１Ｂにおいては、ヒンジ機構９０Ｂには、軸支部１２３Ｂを有する吊下ブラケット１２０Ｂが取り付けられていて、吊下ブラケット１２０Ｂには、他の部材に吊り下げることが可能な第１ハンド部１２２Ｂ、第２ハンド部１２４Ｂ（少なくとも１つのハンド部）が設けられている。
【０１３７】
このため、吊下ブラケット１２０Ｂを用いて、他の部材に照明ユニット１Ｂを吊り下げる等して保持させることが可能となる。それにより、種々の部位に照明ユニット１Ｂを取り付けて、拡散板８０Ｂから光を出射させることが可能となる。
【０１３８】
具体的には、吊下ブラケット１２０Ｂのうち、図１７に示すように照明ユニット１Ｂを閉じたときには、第２ハンド部１２４Ｂがヒンジ機構９０Ｂから突出し、その第２ハンド部１２４Ｂのリング孔に紐や棒などの部材を通すことができる。このとき、第１ハンド部１２２Ｂは、ハンド用凹部２１４Ｂに収納された状態となっている。このため、照明ユニット１Ｂにおいては、一方の照明装置１０Ｂ１の拡散板８０Ｂから光を出射させると共に、他方の照明装置１０Ｂ２の拡散板８０Ｂからも光を出射させることができる。すなわち、照明ユニット１Ｂの表裏両面（２つの光出射主面部８１Ｂ）から光を出射させることができると共に、光出射側面部８２Ｂや湾曲部８３Ｂからも光を出射させることができる。
【０１３９】
したがって、たとえば紐や棒などで照明ユニット１Ｂを吊るして使用する際に、現状のランタンと比較して、明るく照らせる範囲を広げることができる。すなわち、現状のランタンのように、上方の天板によって光が遮られたり、下方のエネルギ供給部位によって光が遮られるのを防止することができ、ランタンの直上や直下が暗い、といった不具合が生じことなく、広い範囲を明るく照らすことが可能となる。たとえば、テント内で用いた場合には、現状のランタンをテント内で用いた場合と比較して、光が遮られる部分が生じないので、テント内を全体的に明るく照らすことができる。
【０１４０】
また、上述のように、照明ユニット１Ｂがヒンジ機構９０Ｂ（保持手段）を備えることで、照明装置１０Ｂ１（第１照明装置）と照明装置１０Ｂ２（第２照明装置）の開き状態と閉じ状態とを、容易に切り替えることが可能となる。したがって、照明ユニット１Ｂにおける発光形態をフレキシブルに変更可能となる。なお、照明装置１０Ｂ１（第１照明装置）と照明装置１０Ｂ２（第２照明装置）とを開き状態で用いる場合の一例（吊下ブラケット１２０Ｂを使用する場合）について、次に説明する。
【０１４１】
＜第５使用例；２つの照明装置１０Ｂを開いた状態とすると共に、吊下ブラケット１２０Ｂを保持した状態で使用する場合＞
図２０は、第２構成例に係る２つの照明装置１０Ｂ１，１０Ｂ２を開いた状態（開き状態）とすると共に、吊下ブラケット１２０Ｂを保持した状態を示す斜視図である。図２０に示すように、照明ユニット１Ｂを開いたときには、第１ハンド部１２２Ｂがそれぞれの照明装置１０Ｂ１，１０Ｂ２から最も離れた位置に存在している。そして、この第１ハンド部１２２Ｂのリング孔に紐や棒などの支持部材１３０Ｂを通すことができる。このとき、第２ハンド部１２４Ｂは、照明装置１０Ｂ１，１０Ｂ２のうち、隣り合う側面（周壁部２２１Ｂ）の間に挟み込まれた状態となっている。第２ハンド部１２４Ｂと隣り合う側面（周壁部２２１Ｂ）には、２つの照明装置１０Ｂ１，１０Ｂ２を開いた状態にした際に、第２ハンド部１２４Ｂとの干渉を避けるための凹部２２９Ｂ（図１７参照）が形成されている。
【０１４２】
このように、照明ユニット１Ｂを開いたときには、２つの照明装置１０Ｂ１，１０Ｂ２は、たとえば下側を向いた状態とすることができる。したがって、２つの照明装置１０Ｂ１，１０Ｂ２が並んで配置された状態で、照明ユニット１Ｂを紐や棒などの部材を介して吊るすことができる。そのため、１つのみの照明装置１０Ｂを用いる場合と比較して、照明ユニット１Ｂの下方側の明るさを向上させることができる。
【０１４３】
また、それぞれの照明装置１０Ｂ１，１０Ｂ２では、光出射主面部８１Ｂから光を出射させることができると共に、光出射側面部８２Ｂや湾曲部８３Ｂからも光を出射させることができる。したがって、照明ユニット１Ｂにおいて、照明可能な範囲を広げることが可能となる。
【０１４４】
また、図２０に示すような使用態様では、下向きの光出射主面部８１Ｂが２面存在する状態となる。このため、たとえばテントの上部に照明ユニット１Ｂを取り付けた場合等のように、上部側に照明ユニット１Ｂを配置した場合には、単独の照明装置１０Ｂを用いる場合と比較して２倍の明るさとすることができ、照明ユニット１Ｂの下方側での明るさを向上させることができる。
【０１４５】
＜第６使用例；板状アタッチメント１４０Ａを照明ユニット１Ａに取り付けて使用する場合＞
図２１は、第１構成例に係る照明装置１０Ａが対向して密着させると共に、その状態で板状アタッチメント１４０Ａを保持した状態を示す斜視図である。図２２は、板状アタッチメント１４０Ａの構成を示す斜視図である。図２１に示す構成では、照明ユニット１Ａには、板状アタッチメント１４０Ａが取り付けられている。板状アタッチメント１４０Ａは、平板状のプレート部１４１Ａを備えると共に、そのプレート部１４１Ａの中央側には、該プレート部１４１Ａから立設された立ち上がり部１４２Ａが設けられている。この立ち上がり部１４２Ａは、プレート部１４１Ａと略直交するように設けられている。なお、立ち上がり部１４２Ａは、プレート部１４１Ａの一部に、略Ｕ字状の切欠溝を入れて、該プレート部１４１Ａから切り起こすことで形成されている。しかしながら、立ち上がり部１４２Ａは、プレート部１４１Ａとは別途の部材でも良く、別部材の立ち上がり部１４２Ａをプレート部１４１Ａに取り付ける構成であっても良い。
【０１４６】
この立ち上がり部１４２Ａには、ボス孔１４３Ａが設けられている。ボス孔１４３Ａは、上述したボス２４Ａが入り込む部分である。図２３は、ボス孔１４３Ａにボス２４Ａが入り込む様子を示す斜視図である。図２３に示すように、ボス孔１４３Ａにボス２４Ａが入り込むことにより、照明ユニット１Ａに対して板状アタッチメント１４０Ａが外れない状態となる。
【０１４７】
なお、ボス２４Ａの周囲の基盤部２１Ａには、ボス２４Ａに対して相対的に窪ませた凹部２５Ａが形成されている。このボス２４Ａの先端部の高さは、凹部２５Ａ以外の基盤部２１Ａと合わせた高さ（同程度の高さ）となっている。このように構成することで、ボス２４Ａを立ち上がり部１４２Ａのボス孔１４３Ａへ位置合わせして挿入した際に、立ち上がり部１４２Ａが凹部２５Ａに入り込む。このように、ボス２４Ａの先端部の高さを基盤部２１Ａと合わせる（同程度とする）ことにより、照明装置１０Ａ１，１０Ａ２を対向状態（閉じ状態）とした際に、ボス２４Ａ同士の接触による基盤部２１Ａ同士の密着性の低下を抑制することが可能となる。また、立ち上がり部１４２Ａが凹部２５Ａへ入り込むことにより、照明ユニット１Ａに板状アタッチメント１４０Ａを取り付ける際に、立ち上がり部１４２Ａによって照明ユニット１Ａを構成する照明装置１０Ａ１，１０Ａ２の基盤部２１Ａの密着性の低下を抑制することが可能となる。
【０１４８】
このような板状アタッチメント１４０Ａを、照明ユニット１Ａに取り付けることで、図２１に示すように、照明ユニット１Ａを安定的に起立姿勢に維持することができる。この起立姿勢では、一対の照明装置１０Ａ１，１０Ａ２の対向部位に立ち上がり部１４２Ａが入り込むと共に、ボス孔１４３Ａにボス２４Ａが入り込んでいる。したがって、板状アタッチメント１４０Ａが照明ユニット１Ａから容易に外れない状態となっている。また、このような起立姿勢では、照明ユニット１Ａを設置するテーブル等の設置部位が多少傾いていても、照明ユニット１Ａを起立姿勢とすることができる。
【０１４９】
なお、板状アタッチメント１４０Ａは、たとえば鉄のような軟磁性材を材質とする金属から形成することができる。この場合、磁石４０Ａにより板状アタッチメント１４０Ａを磁力吸引することで、照明装置１０Ａを板状アタッチメント１４０Ａに対してフレキシブルに固定することができる。図２４および図２５に、板状アタッチメント１４０Ａを磁力により固定する状態を示す。
【０１５０】
図２４は、１つの照明装置１０Ａが板状アタッチメント１４０Ａに磁力吸引された状態を示す斜視図である。図２５は、２つの照明装置１０Ａ１，１０Ａ２が板状アタッチメント１４０Ａに磁力吸引された状態を示す斜視図である。図２４に示すような、照明装置１０Ａへの板状アタッチメント１４０Ａの取付態様では、基盤部２１Ａにプレート部１４１Ａを重ねた状態とすることで、磁石４０Ａによりプレート部１４１Ａを照明装置１０Ａに密着固定させることができる。この状態で、ボス孔１４３Ａに紐などの支持部材を挿通させることで、所望する位置に照明装置１０Ａを取り付けることができる。
【０１５１】
また、図２５では、２つの照明装置１０Ａ１，１０Ａ２に跨るように、プレート部１４１Ａを位置させているが、このときも、それぞれの照明装置１０Ａ１，１０Ａ２における磁石４０Ａにより、プレート部１４１Ａがそれぞれの照明装置１０Ａ１，１０Ａ２に密着固定させることができる。この状態で、ボス孔１４３Ａに紐などの支持部材を挿通させることで、所望する位置に照明装置１０Ａ１，１０Ａ２を取り付けることができる。
【０１５２】
以上のように、第６使用例に係る照明ユニット１Ａは、プレート部１４１Ａを有すると共に軟磁性材を材質とする板状アタッチメント１４０Ａを備えている。そして、照明装置１０Ａ１（第１照明装置）と照明装置１０Ａ２（第２照明装置）とは、板状アタッチメント１４０Ａに対して、磁石４０Ａを介して取り付けられている。
【０１５３】
したがって、図２１に示すような照明装置１０Ａ１，１０Ａ２が向かい合わせの状態で固定された場合、図２４に示すような１つの照明装置１０Ａだけの場合、および図２５に示すような２つの照明装置１０Ａ１，１０Ａ２が並んだ場合のいずれでも、板状アタッチメント１４０Ａを介してフレキシブルに照明ユニット１Ａおよび照明装置１０Ａを固定することができる。すなわち、板状アタッチメント１４０Ａを用いることで、照明装置１０Ａ１（第１照明装置）と照明装置１０Ａ２（第２照明装置）との間の取付形態をフレキシブルに変更可能な照明ユニット１Ａを実現することができると共に、照明ユニット１Ａおよび照明装置１０Ａは、拡張性に優れたものとなる。
【０１５４】
また、上述の第６使用例に係る照明ユニット１Ａにおいては、照明装置１０Ａ１（第１照明装置）および照明装置１０Ａ２（第２照明装置）の少なくとも一方の本体フレーム２０Ａの基盤部２１Ａには、対向状態（閉じ状態）において互いに対向する側の対向面にボス２４Ａが設けられている。そして、ボス２４Ａは、板状アタッチメント１４０Ａに設けられるボス孔１４３Ａに嵌合可能である。
【０１５５】
したがって、対向状態（閉じ状態）では、ボス孔１４３Ａにボス２４Ａが嵌まり込むので、照明ユニット１Ａから板状アタッチメント１４０Ａが容易には外れない状態を実現可能となる。このため、板状アタッチメント１４０Ａを介して、照明ユニット１Ａを安定的にテーブル等に載置することが可能となる。
【０１５６】
また、上述の第６使用例に係る照明ユニット１Ａにおいては、照明装置１０Ａ１（第１照明装置）および照明装置１０Ａ２（第２照明装置）とは、板状アタッチメント１４０Ａに対して取り付けられていて、この板状アタッチメント１４０Ａには、板状のプレート部１４１Ａと、該プレート部１４１Ａから立設されていると共にボス孔１４３Ａが形成されている立ち上がり部１４２Ａとが設けられていて、上述のボス２４Ａはボス孔１４３Ａに嵌まり込んでいる。
【０１５７】
このため、板状アタッチメント１４０Ａに立ち上がり部１４２Ａを設けることで、その立ち上がり部１４２Ａにボス孔１４３Ａを容易に形成することができる。また、立ち上がり部１４２Ａに設けられたボス孔１４３Ａにボス２４Ａが嵌まり込むことで、照明ユニット１Ａから板状アタッチメント１４０Ａが容易には外れなくなり、板状アタッチメント１４０Ａを介して、照明ユニット１Ａを安定的にテーブル等に載置することが可能となる。
【０１５８】
また、上述の第６使用例では、照明装置１０Ａは、光を出射するＬＥＤチップ３４Ａ（光源）と、ＬＥＤチップ３４Ａ（光源）から出射された光を拡散した状態で外部に出射する光出射主面部８１Ａおよび光出射側面部８２Ａ（光出射面部）を備える拡散板８０Ａと、ＬＥＤチップ３４Ａ（光源）および拡散板８０Ａが取り付けられ、光出射主面部８１Ａおよび光出射側面部８２Ａ（光出射面部）の光出射方向と反対の側に基盤部２１Ａを有する本体フレーム２０Ａと、本体フレーム２０Ａに収納されると共に、磁力吸引可能な磁石４０Ａと、プレート部１４１Ａを有すると共に軟磁性材を材質とし、磁石４０Ａによって磁力吸引されている板状アタッチメント１４０Ａとを備えている（図２４参照）。
【０１５９】
このため、板状アタッチメント１４０Ａを介して単独の照明装置１０Ａを吊り下げる等して支持することが可能となる。また、板状アタッチメント１４０Ａと照明装置１０Ａの取り付けは、磁石４０Ａによって簡易に実現できるので、照明装置１０Ａを板状アタッチメント１４０Ａに取り付ける際の利便性を向上させることができる。
【０１６０】
＜変形例＞
以上、本発明の一実施の形態について説明したが、本発明はこれ以外にも種々変形可能となっている。以下、それについて述べる。
【０１６１】
上述の実施の形態においては、蓋型アタッチメント１００Ａや、板状アタッチメント１４０Ａを介して、照明ユニット１Ａ，１Ｂや照明装置１０Ａ，１０Ｂを取り付ける構成について説明している。しかしながら、たとえば種々の物を挟み込むことが可能なクリップ型のアタッチメント（クリップ型アタッチメント）に、照明ユニット１Ａ，１Ｂや照明装置１０Ａ，１０Ｂを取り付ける構成を採用しても良い。この場合、クリップ型アタッチメントは、少なくとも１つのクリップ部を備えれば良い。たとえば、クリップ部は１つのみ設け、クリップ型アタッチメントと、照明ユニット１Ａ，１Ｂや照明装置１０Ａ，１０Ｂとの間の取り付けは、磁石やフック部材を介するものとしても良いし、その他の手段（たとえば粘着シート、リング状のバンドでの固定、テープやネジでの固定等）を介するものとしても良い。また、２つのクリップ部を設け、そのうちの１つのクリップ部で照明ユニット１Ａ，１Ｂや照明装置１０Ａ，１０Ｂを取り付ける構成としても良い。
【０１６２】
また、長尺の棒状部分を有する棒状アタッチメントに、照明ユニット１Ａ，１Ｂや照明装置１０Ａ，１０Ｂを取り付ける構成を採用しても良い。この場合も、磁石やフック部材を介して、棒状部分に照明ユニット１Ａ，１Ｂや照明装置１０Ａ，１０Ｂを固定することができるが、その他の手段（たとえば粘着シート、リング状のバンドでの固定、テープやネジでの固定等）を介して固定するものとしても良い。また、棒状アタッチメントがクリップ部を備え、そのクリップ部で照明ユニット１Ａ，１Ｂや照明装置１０Ａ，１０Ｂを取り付ける構成としても良い。
【０１６３】
また、上述の実施の形態では、専用の蓋型アタッチメント１００Ａやカバー型アタッチメント１１０Ａを用いて、ペットボトルの容器本体Ｐ１に照明ユニット１Ａを取り付けている。しかしながら、たとえば粘着性を有する粘着シート（たとえばシリコーン樹脂を材質とするもので、塵埃が付着しても水洗いすることで繰り返し使えるもの）を照明ユニット１Ａ，１Ｂの一側面（２つのフレーム側面部２２Ａ，２２Ｂに跨る部分）に粘着させたり、いずれかの光出射主面部８１Ａ，８１Ｂに粘着させる構成としても良い。この粘着シートは、蓋型アタッチメント１００Ａやカバー型アタッチメント１１０Ａのフック部１０２Ａ，１１２Ａのような部位を有しないが、そのような構成であっても、粘着シートを通常のペットボトルキャップに粘着させることで、図１２や図１６に示すのと同様の取付態様を実現可能となる。
【０１６４】
また、粘着シートを用いる場合、ペットボトルキャップ以外の種々の部位（たとえば平滑なテーブル、各種の樹脂製の収納ボックスやケース、乗用車のボディ等）に照明ユニット１Ａを取り付けることも可能となる。
【０１６５】
また、専用の蓋型アタッチメント１００Ａ、カバー型アタッチメント１１０Ａまたは板状アタッチメント１４０Ａに代えて、フック部１０２Ａ，１１２Ａと同様のフック部を有する吸盤型アタッチメントを用いる構成を採用しても良い。この場合、平滑性の高い部位に、照明ユニット１Ａ，１Ｂや照明装置１０Ｂ，１０Ｂを吸着固定させることが可能となる。
【０１６６】
また、専用の蓋型アタッチメント１００Ａ、カバー型アタッチメント１１０Ａまたは板状アタッチメント１４０Ａに代えて、たとえばリング状のバンドを有するバンド型アタッチメントを用いる構成を採用しても良い。この場合、バンド型アタッチメントは、リング状のバンド部と、フック部１０２Ａ，１１２Ａと同様のフック部を有する構成を採用することができる。それにより、たとえばバンド部を腕に取り付けて腕時計と同様に照明ユニット１Ａ，１Ｂや照明装置１０Ａ，１０Ｂを用いることができる。また、バンド部を頭部に取り付けて、ヘッド型ライトとして用いることもできる。
【０１６７】
また、上述の実施の形態では、照明装置１０Ａ，１０Ｂは、単独か、または２つ組み合わせて用いる場合について説明している。しかしながら、照明装置１０Ａ，１０Ｂは、３つ以上組み合わせて用いる構成としても良い。
【０１６８】
また、上述の実施の形態では、光源として、ＬＥＤチップ３４Ａ，３４Ｂを用いたものとしている。しかしながら、光源は、ＬＥＤチップ３４Ａ，３４Ｂに限られるものではなく、白熱球、蛍光灯等のような他の発光部材を用いることが可能である。
【０１６９】
また、上述の実施の形態では、導光板７０Ａ，７０Ｂを備える構成としている。しかしながら、導光板７０Ａ，７０Ｂを備えない構成を採用しても良い。この場合、光源に対応するＬＥＤチップ３４Ａ，３４Ｂから出射された光は、拡散板８０Ａ，８０Ｂに直接入射され、その拡散板８０Ａ，８０Ｂで拡散された後に、光出射主面部８１Ａ，８１Ｂ、光出射側面部８２Ａ，８２Ｂおよび湾曲部８３Ａ，８３Ｂから外部に出射される。
【０１７０】
また、光源として、面状光源である有機エレクトロルミネッセンス素子（有機ＥＬ素子）を備える照明（有機ＥＬ照明）を用いることも可能であり、この場合には、導光板７０Ａ，７０Ｂや拡散板８０Ａ，８０Ｂを不要とすることも可能となる。有機ＥＬ素子を備える照明ユニットに関する発明としては、次のようなものがある。
少なくとも第１照明装置と第２照明装置を備える照明ユニットであって、
前記第１照明装置および第２照明装置は、
光を出射すると共に有機エレクトロルミネッセンス素子で構成される面状光源と、
前記面状光源を取り付けられ、前記面状光源の外部への光出射方向とは反対の側に基盤部を備える本体フレームと、
前記第１照明装置の前記基盤部と前記第２照明装置の前記基盤部とが互いに対向した状態である対向状態を保持する保持手段と、
を備えることを特徴とする照明ユニット。
【０１７１】
また、上述の実施の形態では、容器本体Ｐ１としてペットボトルについて説明している。しかしながら、ペットボトル以外の容器を、容器本体としても良い。たとえば、洗剤用、シャンプー用、液体せっけん用の樹脂製の容器、整髪料用のガラス製の容器、その他の瓶等を、容器本体としても良い。なお、容器本体の首部に雄ネジ部が存在しない構成であっても良い。その場合には、蓋本体１０１Ａの内筒側に雌ネジ部分が存在しない構成を採用することができる。また、ペットボトル以外の各種の容器本体を用いたスタンド型照明を構成しても良い。
【符号の説明】
【０１７２】
１Ａ，１Ｂ…照明ユニット、２Ａ…スタンド型照明、１０Ａ，１０Ｂ…照明装置（第１照明装置および第２照明装置に対応）、１０Ａ１，１０Ｂ１…照明装置（第１照明装置に対応）、１０Ａ２，１０Ｂ２…照明装置（第２照明装置に対応）、２０Ａ，２０Ｂ…本体フレーム、２１Ａ，２１Ｂ…基盤部、２２Ａ，２２Ｂ…フレーム側面部、２２Ａ１，２２Ａ２…孔部、２３Ａ，２３Ｂ…係合凹部（アタッチメント取付部に対応）、２３Ａ１…テーパ面、２３Ａ２…立設面、２４Ａ…ボス、３０Ａ，３０Ｂ…基板ユニット、３１Ａ…フレキシブルプリント基板、３１Ａ１…平面部、３１Ａ２…折曲部、３２Ａ…ＵＳＢコネクタ、３３Ａ…スイッチセット、３４Ａ，３４Ｂ…ＬＥＤチップ（光源に対応）、４０Ａ，４０Ｂ…磁石、５０Ａ，５０Ｂ…電源ユニット、６０Ａ，６０Ｂ…反射シート、７０Ａ，７０Ｂ…導光板、８０Ａ，８０Ｂ…拡散板、８１Ａ，８１Ｂ…光出射主面部（光出射面部に対応）、８２Ａ，８２Ｂ…光出射側面部（光出射面部に対応）、８３Ａ，８３Ｂ…湾曲部、９０Ｂ…ヒンジ機構（保持手段に対応）、１００Ａ…蓋型アタッチメント（アタッチメントに対応）、１０１Ａ…蓋本体、１０１Ａ１，１１１Ａ１…上底面、１０２Ａ，１１２Ａ…フック部（照明ユニット取付部に対応）、１０３Ａ，１１３Ａ…返し部、１０４Ａ，１１４Ａ…連結部、１１０Ａ…カバー型アタッチメント（アタッチメントに対応）、１１１Ａ…カバー本体、１１１Ａ２…外周壁、１１１Ａ３…スリット、１２０Ｂ…吊下ブラケット、１２１Ｂ…アーム部、１２２Ｂ…第１ハンド部（ハンド部に対応）、１２３Ｂ…軸支部、１２４Ｂ…第２ハンド部（ハンド部に対応）、１３０Ｂ…支持部材、１４０Ａ…板状アタッチメント（アタッチメントに対応）、１４１Ａ…プレート部、１４２Ａ…立ち上がり部、１４３Ａ…ボス孔、２１０Ｂ…基盤フレーム、２１１Ｂ…基盤部、２１２Ｂ…収納凹部、２１３Ｂ…長尺凹部、２１４Ｂ…ハンド用凹部、２１５Ｂ…磁石収納部、２１６Ｂ…周壁部、２１７Ｂ…爪部、２２０Ｂ…中間フレーム、２２１Ｂ…周壁部、２２２Ｂ…爪用凹部、２２３Ｂ…切欠部、２２４Ｂ…仕切り部、２２５Ｂ…リブ、２２６Ｂ…挿通孔、２２７Ｂ…筒状支持部、２２８Ｂ…筒孔、Ｐ１…容器本体、Ｐ２…キャップ
【図１】
2019102278.tif 000003
【図２】
2019102278.tif 000004
【図３】
2019102278.tif 000005
【図４】
2019102278.tif 000006
【図５】
2019102278.tif 000007
【図６】
2019102278.tif 000008
【図７】
2019102278.tif 000009
【図８】
2019102278.tif 000010
【図９】
2019102278.tif 000011
【図１０】
2019102278.tif 000012
【図１１】
2019102278.tif 000013
【図１２】
2019102278.tif 000014
【図１３】
2019102278.tif 000015
【図１４】
2019102278.tif 000016
【図１５】
2019102278.tif 000017
【図１６】
2019102278.tif 000018
【図１７】
2019102278.tif 000019
【図１８】
2019102278.tif 000020
【図１９】
2019102278.tif 000021
【図２０】
2019102278.tif 000022
【図２１】
2019102278.tif 000023
【図２２】
2019102278.tif 000024
【図２３】
2019102278.tif 000025
【図２４】
2019102278.tif 000026
【図２５】
2019102278.tif 000027